(57)【要約】【課題】  発光性能を可能な限り向上させることが可能な有機発光素子を提供する。【解決手段】  青色有機ＥＬ素子１６Ｂ、緑色有機ＥＬ素子１６Ｇおよび赤色有機ＥＬ素子１６Ｒにおいて、下部電極層１６１Ｂ，１６１Ｇ，１６１Ｒと上部電極層１６４との間に設けられた有機層１６３が、複数の発光層が積層された積層構造を有している。特に、（１）下部電極層１６１Ｂ，１６１Ｇ，１６１Ｒの反射面と複数の発光層のうちの各発光層の発光面との間の距離（第１の光学的距離）が所定の関係式を満たし、（２）下部電極層１６１Ｂ，１６１Ｇ，１６１Ｒの反射面と反射面規定層１６５，１６６の界面との間の距離（第２の光学的距離）が他の所定の関係式２を満たし、（３）下部電極層１６１Ｂ，１６１Ｇ，１６１Ｒと有機層１６３との間の距離が青色有機発光素子１６Ｂおよび赤色有機発光素子１６Ｒよりも緑色有機発光素子１６Ｇにおいて大きくなっている。【選択図】    図１
2007012370.tif 000002
【特許請求の範囲】
【請求項１】
第１の電極層と第２の電極層との間に、複数の発光層が積層された積層構造を有する有機層が設けられ、前記複数の発光層から発生した光を第１の反射面と第２の反射面との間において反射させて共振させることにより、それぞれ前記第２の電極層を経由して青色光、緑色光および赤色光を放出する青色有機発光素子、緑色有機発光素子および赤色有機発光素子、を含み、
前記第１の反射面と前記複数の発光層のうちの各発光層の発光面との間の距離が、前記青色有機発光素子、前記緑色有機発光素子および前記赤色有機発光素子のいずれにおいても下記に示した関係式１を満たし、
前記第１の反射面と前記第２の反射面との間の距離が、前記青色有機発光素子、前記緑色有機発光素子および前記赤色有機発光素子のいずれにおいても下記に示した関係式２を満たし、
前記第１の電極層と前記有機層との間の距離が、前記青色有機発光素子、前記緑色有機発光素子および前記赤色有機発光素子のうちの少なくとも１つにおいて異なっている
ことを特徴とする有機発光素子。
Ｌ＝（ｍＬ−ΦＬ／２π）λＬ／２・・・関係式１
（「Ｌ」は第１の反射面と各発光層の発光面との間の距離（第１の光学的距離）、「ｍＬ」は次数（０または整数）、「ΦＬ」は各発光層において発生した光が第１の反射面において反射する際に生じる位相シフト、「λＬ」は各発光層において発生した光が有機発光素子から放出される際のスペクトルのピーク波長をそれぞれ表す。）
Ｄ＝（ｍＤ−ΦＤ／２π）λＤ／２・・・関係式２
（「Ｄ」は第１の反射面と第２の反射面との間の距離（第２の光学的距離）、「ｍＤ」は次数（０または整数）、「ΦＤ」は複数の発光層において発生した光が第１の反射面および第２の反射面において反射する際に生じる位相シフト、「λＤ」は複数の発光層において発生した光が有機発光素子から放出される際のスペクトルのピーク波長をそれぞれ表す。）
【請求項２】
前記第１の反射面が、前記第１の電極層と前記有機層との間の界面である
ことを特徴とする請求項１記載の有機発光素子。
【請求項３】
前記青色有機発光素子、前記緑色有機発光素子および前記赤色有機発光素子が、いずれも前記第１の電極層に近い側から順に、相対的に高い屈折率を有する高屈折率層および相対的に低い屈折率を有する低屈折率層を含み、
前記第２の反射面が、前記高屈折率層と前記低屈折率層との間の界面である
ことを特徴とする請求項１記載の有機発光素子。
【請求項４】
前記第２の電極層が、前記低屈折率層として機能している
ことを特徴とする請求項３記載の有機発光素子。
【請求項５】
前記青色有機発光素子、前記緑色有機発光素子および前記赤色有機発光素子が、いずれも前記第１の電極層に近い側から順に、相対的に低い屈折率を有する低屈折率層および相対的に高い屈折率を有する高屈折率層を含み、
前記第２の反射面が、前記低屈折率層と前記高屈折率層との間の界面である
ことを特徴とする請求項１記載の有機発光素子。
【請求項６】
前記第２の電極層が、前記高屈折率層として機能している
ことを特徴とする請求項５記載の有機発光素子。
【請求項７】
前記青色有機発光素子、前記緑色有機発光素子および前記赤色有機発光素子が、いずれも前記第１の電極層に近い側から順に、相対的に低い屈折率を有する第１の低屈折率層および相対的に高い屈折率を有する第１の高屈折率層と、相対的に高い屈折率を有する第２の高屈折率層および相対的に低い屈折率を有する第２の低屈折率層とを含み、
前記第２の反射面が、前記第１の低屈折率層と前記第１の高屈折率層との間の界面および前記第２の高屈折率層と前記第２の低屈折率層との間の界面である
ことを特徴とする請求項１記載の有機発光素子。
【請求項８】
前記複数の発光層が、前記第１の電極層に近い側から順に、第１の青色発光層と、緑色発光層と、第２の青色発光層と、赤色発光層と、を含み、
前記関係式１中の次数ｍＬが、前記第１の青色発光層に関してｍＬ＝０、前記緑色発光層に関してｍＬ＝１、前記第２の青色発光層に関してｍＬ＝１、前記赤色発光層に関してｍＬ＝１である
ことを特徴とする請求項１記載の有機発光素子。
【請求項９】
前記関係式２中の次数ｍＤが、前記第１の青色発光層に関してｍＤ＝２、前記緑色発光層に関してｍＤ＝２、前記第２の青色発光層に関してｍＤ＝２、前記赤色発光層に関してｍＤ＝１である
ことを特徴とする請求項８記載の有機発光素子。
【請求項１０】
前記複数の発光層が、前記第１の電極層に近い側から順に、第１の青色発光層と、緑色発光層と、第２の青色発光層と、赤色発光層と、第３の青色発光層と、を含み、
前記関係式１中の次数ｍＬが、前記第１の青色発光層に関してｍＬ＝０、前記緑色発光層に関してｍＬ＝１、前記第２の青色発光層に関してｍＬ＝１、前記赤色発光層に関してｍＬ＝１、前記第３の青色発光層に関してｍＬ＝２である
ことを特徴とする請求項１記載の有機発光素子。
【請求項１１】
前記関係式２中の次数ｍＤが、前記第１の青色発光層に関してｍＤ＝２、前記緑色発光層に関してｍＤ＝２、前記第２の青色発光層に関してｍＤ＝２、前記赤色発光層に関してｍＤ＝１、前記第３の青色発光層に関してｍＤ＝２である
ことを特徴とする請求項１０記載の有機発光素子。
【請求項１２】
前記第１の電極層と前記有機層との間の距離が、前記青色有機発光素子および前記赤色有機発光素子よりも前記緑色有機発光素子において大きくなっている
ことを特徴とする請求項１記載の有機発光素子。
【請求項１３】
前記緑色有機発光素子において、前記第１の電極層と前記有機層との間に透明導電層が設けられていることにより、前記第１の反射面が、前記第１の電極層と前記透明導電層との間の界面であり、
前記青色有機発光素子および前記赤色有機発光素子のいずれにおいても、前記第１の電極層と前記有機層との間に前記透明導電層が設けられていない
ことを特徴とする請求項１２記載の有機発光素子。
【請求項１４】
前記青色有機発光素子、前記緑色有機発光素子および前記赤色有機発光素子のいずれにおいても、前記第１の電極層と前記有機層との間に透明導電層が設けられていることにより、前記第１の反射面が、前記第１の電極層と前記透明導電層との間の界面であり、
その透明導電層の厚さが、前記青色有機発光素子および前記赤色有機発光素子よりも前記緑色有機発光素子において大きくなっている
ことを特徴とする請求項１２記載の有機発光素子。
【請求項１５】
第１の電極層と第２の電極層との間に、複数の発光層が積層された積層構造を有する有機層が設けられ、前記複数の発光層から発生した光を第１の反射面と第２の反射面との間において反射させて共振させることにより、それぞれ前記第２の電極層を経由して青色光、緑色光および赤色光を放出する青色有機発光素子、緑色有機発光素子および赤色有機発光素子、を含む有機発光素子を備え、
前記第１の反射面と前記複数の発光層のうちの各発光層の発光面との間の距離が、前記青色有機発光素子、前記緑色有機発光素子および前記赤色有機発光素子のいずれにおいても下記に示した関係式３を満たし、
前記第１の反射面と前記第２の反射面との間の距離が、前記青色有機発光素子、前記緑色有機発光素子および前記赤色有機発光素子のいずれにおいても下記に示した関係式４を満たし、
前記第１の電極層と前記有機層との間の距離が、前記青色有機発光素子、前記緑色有機発光素子および前記赤色有機発光素子のうちの少なくとも１つにおいて異なっている
ことを特徴とする有機発光装置。
Ｌ＝（ｍＬ−ΦＬ／２π）λＬ／２・・・関係式３
（「Ｌ」は第１の反射面と各発光層の発光面との間の距離（第１の光学的距離）、「ｍＬ」は次数（０または整数）、「ΦＬ」は各発光層において発生した光が第１の反射面において反射する際に生じる位相シフト、「λＬ」は各発光層において発生した光が有機発光素子から放出される際のスペクトルのピーク波長をそれぞれ表す。）
Ｄ＝（ｍＤ−ΦＤ／２π）λＤ／２・・・関係式４
（「Ｄ」は第１の反射面と第２の反射面との間の距離（第２の光学的距離）、「ｍＤ」は次数（０または整数）、「ΦＤ」は複数の発光層において発生した光が第１の反射面および第２の反射面において反射する際に生じる位相シフト、「λＤ」は複数の発光層において発生した光が有機発光素子から放出される際のスペクトルのピーク波長をそれぞれ表す。）
【発明の詳細な説明】
【技術分野】
【０００１】
本発明は、有機エレクトロルミネセンス（ＥＬ；Electro Luminescence）現象を利用して発光する有機発光素子および有機発光素子を備えた有機発光装置に関する。
【背景技術】
【０００２】
近年、フラットパネルディスプレイの１つとして、有機ＥＬ現象を利用して画像を表示する有機発光装置（いわゆる有機ＥＬディスプレイ）が注目されている。この有機ＥＬディスプレイは、有機発光素子（いわゆる有機ＥＬ素子）の発光現象を利用して画像を表示する自発光型のディスプレイであるため、視野角が広く、消費電力が小さく、かつ軽量である点において優れている。
【０００３】
有機ＥＬディスプレイに搭載される有機ＥＬ素子は、主に、２つの電極層の間に有機層が設けられた構造を有している。この有機層は、発光源としての発光層と共に、その発光層を発光させるための正孔輸送層や電子輸送層などを併せて含んでいる。
【０００４】
有機ＥＬ素子の構造に関しては、発光性能を向上させることを目的として、既にいくつかの態様が提案されている。
【０００５】
具体的には、発光効率を高めると共に発光寿命を長期化するために、複数の発光層が積層されることにより直列に接続された積層構造（いわゆるタンデム構造）を有するように有機層を構成する技術が知られている（例えば、特許文献１〜７参照。）。この種の有機層では、任意の数の発光層を積層させることが可能である。この場合には、特に、青色光を発生させる青色発光層と、緑色光を発生させる緑色発光層と、赤色光を発生させる赤色発光層とを積層させることにより、それらの青色光、緑色光および赤色光の合成光として白色光を発生させることが可能である。
【特許文献１】特開昭６１−０３７８５８号公報
【特許文献２】特開平１１−３２９７４８号公報
【特許文献３】特開平１１−３２９７４９号公報
【特許文献４】特開２００３−０４５６７６号公報
【特許文献５】特開２００３−２６４０８５号公報
【特許文献６】特開２００３−２７２８６０号公報
【特許文献７】特開２００４−０３９６１７号公報
【０００６】
また、有機層のうちの発光層から発生した光（白色光）の中から所望の色（波長域）の光を効率よく取り出すために、複数の有機ＥＬ素子の間において光学的距離の差異を利用して光の干渉現象を生じさせる技術が知られている（例えば、特許文献８〜１２参照。）。この種の有機ＥＬ素子では、光の３原色に対応する３色の光、すなわち青色光、緑色光および赤色光を個別に放出させることが可能である。
【特許文献８】特開２０００−２４３５７３号公報
【特許文献９】特開２０００−３２３２７７号公報
【特許文献１０】特開２００３−１４２２７７号公報
【特許文献１１】特開２００４−１３４１０１号公報
【特許文献１２】特開２００４−２５３３８９号公報
【０００７】
さらに、上記した青色光、緑色光および赤色光の色純度を高めるために、光反射性を有する一方の電極層と光半透過性を有する他方の電極層との間において、有機層のうちの発光層から発生した光を反射させて共振させる技術が知られている（例えば、特許文献１３，１４参照。）。この光共振機能を有する有機ＥＬ素子の素子構造は、一般に、「光共振器構造（いわゆるマイクロキャビティ構造）」と呼ばれている。特に、光共振器構造を有する有機ＥＬ素子は、上記した光の干渉現象を利用する場合と比較して光取り出し効率が向上し、すなわち正面光強度が大きくなると共に色純度が高くなることから、フルカラーディスプレイに適している。
【特許文献１３】国際公開第ＷＯ０１／０３９５５４号パンフレット
【特許文献１４】特開平１０−１７７８９６号公報
【発明の開示】
【発明が解決しようとする課題】
【０００８】
ところで、最近では、有機ＥＬディスプレイの実用性が広く認知されたことに伴い、表示性能の向上に関する要望が一層高まりつつある。このような技術的背景を踏まえると、今後益々有機ＥＬディスプレイの市場普及を促進させるためには、表示性能を可能な限り向上させるために、その表示性能に寄与する有機ＥＬ素子の発光性能を可能な限り向上させる必要がある。しかしながら、従来の有機ＥＬディスプレイでは、有機ＥＬ素子の発光性能を向上させる観点において未だ十分とは言えないため、多分に改善の余地がある。
【０００９】
本発明はかかる問題点に鑑みてなされたもので、その第１の目的は、発光性能を可能な限り向上させることが可能な有機発光素子を提供することにある。
【００１０】
また、本発明の第２の目的は、表示性能を可能な限り向上させることが可能な有機発光装置を提供することにある。
【課題を解決するための手段】
【００１１】
本発明に係る有機発光素子は、第１の電極層と第２の電極層との間に複数の発光層が積層された積層構造を有する有機層が設けられ、複数の発光層から発生した光を第１の反射面と第２の反射面との間において反射させて共振させることによりそれぞれ第２の電極層を経由して青色光、緑色光および赤色光を放出する青色有機発光素子、緑色有機発光素子および赤色有機発光素子を含み、第１の反射面と複数の発光層のうちの各発光層の発光面との間の距離が青色有機発光素子、緑色有機発光素子および赤色有機発光素子のいずれにおいても下記に示した関係式１を満たし、第１の反射面と第２の反射面との間の距離が青色有機発光素子、緑色有機発光素子および赤色有機発光素子のいずれにおいても下記に示した関係式２を満たし、第１の電極層と有機層との間の距離が青色有機発光素子、緑色有機発光素子および赤色有機発光素子のうちの少なくとも１つにおいて異なっているものである。
Ｌ＝（ｍＬ−ΦＬ／２π）λＬ／２・・・関係式１
（「Ｌ」は第１の反射面と各発光層の発光面との間の距離（第１の光学的距離）、「ｍＬ」は次数（０または整数）、「ΦＬ」は各発光層において発生した光が第１の反射面において反射する際に生じる位相シフト、「λＬ」は各発光層において発生した光が有機発光素子から放出される際のスペクトルのピーク波長をそれぞれ表す。）
Ｄ＝（ｍＤ−ΦＤ／２π）λＤ／２・・・関係式２
（「Ｄ」は第１の反射面と第２の反射面との間の距離（第２の光学的距離）、「ｍＤ」は次数（０または整数）、「ΦＤ」は複数の発光層において発生した光が第１の反射面および第２の反射面において反射する際に生じる位相シフト、「λＤ」は複数の発光層において発生した光が有機発光素子から放出される際のスペクトルのピーク波長をそれぞれ表す。）
【００１２】
本発明に係る有機発光装置は、第１の電極層と第２の電極層との間に複数の発光層が積層された積層構造を有する有機層が設けられ、複数の発光層から発生した光を第１の反射面と第２の反射面との間において反射させて共振させることによりそれぞれ第２の電極層を経由して青色光、緑色光および赤色光を放出する青色有機発光素子、緑色有機発光素子および赤色有機発光素子を含む有機発光素子を備え、第１の反射面と複数の発光層のうちの各発光層の発光面との間の距離が青色有機発光素子、緑色有機発光素子および赤色有機発光素子のいずれにおいても下記に示した関係式３を満たし、第１の反射面と第２の反射面との間の距離が青色有機発光素子、緑色有機発光素子および赤色有機発光素子のいずれにおいても下記に示した関係式４を満たし、第１の電極層と有機層との間の距離が青色有機発光素子、緑色有機発光素子および赤色有機発光素子のうちの少なくとも１つにおいて異なっているものである。
Ｌ＝（ｍＬ−ΦＬ／２π）λＬ／２・・・関係式３
（「Ｌ」は第１の反射面と各発光層の発光面との間の距離（第１の光学的距離）、「ｍＬ」は次数（０または整数）、「ΦＬ」は各発光層において発生した光が第１の反射面において反射する際に生じる位相シフト、「λＬ」は各発光層において発生した光が有機発光素子から放出される際のスペクトルのピーク波長をそれぞれ表す。）
Ｄ＝（ｍＤ−ΦＤ／２π）λＤ／２・・・関係式４
（「Ｄ」は第１の反射面と第２の反射面との間の距離（第２の光学的距離）、「ｍＤ」は次数（０または整数）、「ΦＤ」は複数の発光層において発生した光が第１の反射面および第２の反射面において反射する際に生じる位相シフト、「λＤ」は複数の発光層において発生した光が有機発光素子から放出される際のスペクトルのピーク波長をそれぞれ表す。）
【００１３】
本発明に係る有機発光素子では、青色有機発光素子、緑色有機発光素子および赤色有機発光素子において、第１の電極層と第２の電極層との間に設けられた有機層が複数の発光層が積層された積層構造を有しており、特に、（１）第１の反射面と複数の発光層のうちの各発光層の発光面との間の距離（第１の光学的距離）が上記した関係式１を満たし、（２）第１の反射面と第２の反射面との間の距離（第２の光学的距離）が上記した関係式２を満たし、（３）第１の電極層と有機層との間の距離が青色有機発光素子、緑色有機発光素子および赤色有機発光素子のうちの少なくとも１つにおいて異なっている。この場合には、第１の光学的距離の差異に基づく光の干渉現象を利用して、青色有機発光素子、緑色有機発光素子および赤色有機発光素子からそれぞれ青色光、緑色光および赤色光が放出される。特に、第１の光学的距離が関係式１を満たしているため、光の干渉現象を利用して青色光、緑色光、青色光および赤色光ＨＲの光取り出し効率が増加することにより、それらの青色光、緑色光および赤色光の強度が増強される。しかも、青色有機発光素子、緑色有機発光素子および赤色有機発光素子がいずれも光共振器構造を有しており、特に、第２の光学的距離が関係式２を満たしているため、光の共振現象を利用して青色光、緑色光および赤色光の色純度が向上する。この場合には、例えば、複数の発光層が４種類の発光層（青色光を発生させる第１の青色発光層，緑色光を発生させる緑色発光層，青色光を発生させる第２の青色発光層，赤色光を発生させる赤色発光層）を含む場合に、上記した関係式１，２中の次数ｍＬ，ｍＤが第１の青色発光層に関してｍＬ＝０，ｍＤ＝２、緑色発光層に関してｍＬ＝１，ｍＤ＝２、第２の青色発光層に関してｍＬ＝１，ｍＤ＝２、赤色発光層に関してｍＬ＝１，ｍＤ＝１であるか、あるいは複数の発光層が５種類の発光層（青色光を発生させる第１の青色発光層，緑色光を発生させる緑色発光層，青色光を発生させる第２の青色発光層，赤色光を発生させる赤色発光層，青色光を発生させる第３の青色発光層）を含む場合に、上記した関係式１，２中の次数ｍＬ，ｍＤが第１の青色発光層に関してｍＬ＝０，ｍＤ＝２、緑色発光層に関してｍＬ＝１，ｍＤ＝２、第２の青色発光層に関してｍＬ＝１，ｍＤ＝２、赤色発光層に関してｍＬ＝１，ｍＤ＝１、第３の青色発光層に関してｍＬ＝２，ｍＤ＝２であれば、光の干渉現象を利用して青色光、緑色光および赤色光の強度を増強させる観点において、その干渉条件が各色ごとに最適化される。
【００１４】
本発明に係る有機発光装置では、上記した本発明に係る有機発光素子（青色有機発光素子，緑色有機発光素子，赤色有機発光素子）を備えているため、それらの青色有機発光素子、緑色有機発光素子および赤色有機発光素子からそれぞれ放出される青色光、緑色光および赤色光の強度が増強されると共に色純度が向上ずる。
【００１５】
なお、本発明に係る有機発光素子では、第１の反射面が第１の電極層と有機層との間の界面である一方で、（１）青色有機発光素子、緑色有機発光素子および赤色有機発光素子がいずれも第１の電極層に近い側から順に相対的に高い屈折率を有する高屈折率層および相対的に低い屈折率を有する低屈折率層を含み、第２の反射面が高屈折率層と低屈折率層との間の界面であってもよいし、（２）青色有機発光素子、緑色有機発光素子および赤色有機発光素子がいずれも第１の電極層に近い側から順に相対的に低い屈折率を有する低屈折率層および相対的に高い屈折率を有する高屈折率層を含み、第２の反射面が低屈折率層と高屈折率層との間の界面であってもよいし、あるいは（３）青色有機発光素子、緑色有機発光素子および赤色有機発光素子がいずれも第１の電極層に近い側から順に相対的に低い屈折率を有する第１の低屈折率層および相対的に高い屈折率を有する第１の高屈折率層と相対的に高い屈折率を有する第２の高屈折率層および相対的に低い屈折率を有する第２の低屈折率層とを含み、第２の反射面が第１の低屈折率層と第１の高屈折率層との間の界面および第２の高屈折率層と第２の低屈折率層との間の界面であってもよい。
【発明の効果】
【００１６】
本発明に係る有機発光素子によれば、青色有機発光素子、緑色有機発光素子および赤色有機発光素子において、第１の電極層と第２の電極層との間に設けられた有機層が複数の発光層が積層された積層構造を有しており、特に、上記した（１）〜（３）の構成条件を満たしているので、その（１）〜（３）の構成条件を満たしていない場合と比較して、青色有機発光素子、緑色有機発光素子および赤色有機発光素子からそれぞれ放出される青色光、緑色光および赤色光の強度が増強されると共に色純度が向上する。したがって、発光性能を向上させることができる。この場合には、例えば、複数の発光層が４種類の発光層（青色光を発生させる第１の青色発光層，緑色光を発生させる緑色発光層，青色光を発生させる第２の青色発光層，赤色光を発生させる赤色発光層）を含む場合に、上記した関係式１，２中の次数ｍＬ，ｍＤが第１の青色発光層に関してｍＬ＝０，ｍＤ＝２、緑色発光層に関してｍＬ＝１，ｍＤ＝２、第２の青色発光層に関してｍＬ＝１，ｍＤ＝２、赤色発光層に関してｍＬ＝１，ｍＤ＝１であるか、あるいは複数の発光層が５種類の発光層（青色光を発生させる第１の青色発光層，緑色光を発生させる緑色発光層，青色光を発生させる第２の青色発光層，赤色光を発生させる赤色発光層，青色光を発生させる第３の青色発光層）を含む場合に、上記した関係式１，２中の次数ｍＬ，ｍＤが、第１の青色発光層に関してｍＬ＝０，ｍＤ＝２、緑色発光層に関してｍＬ＝１，ｍＤ＝２、第２の青色発光層に関してｍＬ＝１，ｍＤ＝２、赤色発光層に関してｍＬ＝１，ｍＤ＝１、第３の青色発光層に関してｍＬ＝２，ｍＤ＝２であれば、光の干渉条件が各色ごとに最適化されるため、発光性能を可能な限り向上させることができる。
【００１７】
本発明に係る有機発光装置によれば、上記した本発明に係る有機発光素子を備えているので、その有機発光素子の発光性能が可能な限り向上する。したがって、表示性能を可能な限り向上させることができる。
【発明を実施するための最良の形態】
【００１８】
以下、本発明の実施の形態について、図面を参照して詳細に説明する。
【００１９】
［第１の実施の形態］
まず、図１〜図４を参照して、本発明の第１の実施の形態に係る有機発光装置の構成について説明する。図１〜図４は、本実施の形態に係る有機発光装置としての有機ＥＬディスプレイ１００の構成を表しており、図１は全体の断面構成を示し、図２は主要部の断面構成を拡大して模式的に示し、図３および図４は図２に示した主要部の断面構成を詳細に示している。
【００２０】
なお、本発明の第１の実施の形態に係る「有機発光素子」は、本実施の形態に係る有機ＥＬディスプレイ１００に有機ＥＬ素子１６として搭載されるものであるため、その「有機発光素子」に関しては以下で併せて説明する。
【００２１】
有機ＥＬディスプレイ１００は、有機ＥＬ現象を利用して画像表示用の光ＨＰを放出することにより画像を表示するものである。この有機ＥＬディスプレイ１００は、例えば、図１に示したように、画像表示用の光ＨＰを放出する有機ＥＬ素子１６を備えており、その有機ＥＬ素子１６は、青色光ＨＰＢ（例えば、約４６０ｎｍ近傍の波長域）、緑色光ＨＰＧ（例えば、約５３０ｎｍ近傍の波長域）および赤色光ＨＰＲ（例えば、約６２０ｎｍ近傍の波長域）をそれぞれ放出する青色有機ＥＬ素子１６Ｂ、緑色有機ＥＬ素子１６Ｇおよび赤色有機ＥＬ素子１６Ｒを含んでいる。
【００２２】
より具体的には、有機ＥＬディスプレイ１００は、例えば、図１に示したように、駆動パネル１０および封止パネル２０が互いに対向配置され、それらの駆動パネル１０および封止パネル２０が接着層３０を介して互いに貼り合わされた構造を有している。この有機ディスプレイ１００は、例えば、画像表示用の光ＨＰを上方、すなわち封止パネル２０を経由して外部へ放出することにより画像を表示するトップエミッション型構造を有している。
【００２３】
駆動パネル１０は、例えば、駆動用基板１１の一面に、その駆動用基板１１に近い側から順に、薄膜トランジスタ（ＴＦＴ；thin film transistor）１２と、層間絶縁層１３と、駆動配線１４と、平坦化絶縁層１５と、上記した有機ＥＬ素子１６（青色有機ＥＬ素子１６Ｂ，緑色有機ＥＬ素子１６Ｇ，赤色有機ＥＬ素子１６Ｒ）および層内絶縁層１７と、保護層１８とが積層された構造を有している。
【００２４】
駆動用基板１１は、ＴＦＴ１２や有機ＥＬ素子１６などを支持するものであり、例えば、シリコン（Ｓｉ）やプラスチックなどの非光透過性絶縁性材料により構成されている。
【００２５】
ＴＦＴ１２は、有機ＥＬ素子１６を駆動させるものであり、例えば、駆動用基板１１の一面に複数個に渡ってマトリックス状に配列されている。このＴＦＴ１２は、層間絶縁層１３に設けられたコンタクトホール（図示せず）を通じて駆動配線１４に電気的に接続されている。
【００２６】
層間絶縁層１３は、ＴＦＴ１２を周囲から電気的に分離するものであり、例えば、酸化ケイ素（ＳｉＯ2 ）やＰＳＧ（phospho-silicate glass）などの絶縁性材料により構成されている。この層間絶縁層１３は、例えば、ＴＦＴ１２およびその周辺の駆動用基板１１を覆うように配設されている。
【００２７】
駆動配線１４は、信号線として機能することにより有機ＥＬ素子１６を駆動させるものであり、例えば、アルミニウム（Ａｌ）やアルミニウム銅合金（ＡｌＣｕ）などの導電性材料により構成されている。この駆動配線１４は、平坦化絶縁層１５に設けられたコンタクトホール（図示せず）を通じて有機ＥＬ素子１６に電気的に接続されている。なお、駆動配線１４は、例えば、各ＴＦＴ１２ごとに２つずつ（ゲート信号線，ドレイン信号線）設けられており、上記したように、ＴＦＴ１２に電気的に接続されている。
【００２８】
平坦化絶縁層１５は、ＴＦＴ１２および駆動配線１４と有機ＥＬ素子１６との間を電気的に分離すると共に、その有機ＥＬ素子１６が配置される下地を平坦化するものであり、例えば、酸化ケイ素（ＳｉＯ2 ）などの絶縁性材料により構成されている。
【００２９】
有機ＥＬ素子１６は、有機ＥＬ現象を利用して発光するものであり、上記したように、青色光ＨＰＢを放出する青色有機ＥＬ素子１６Ｂと、緑色光ＨＰＧを放出する緑色有機ＥＬ素子１６Ｇと、赤色光ＨＰＲを放出する赤色有機ＥＬ素子１６Ｒとを含んでいる。なお、青色有機ＥＬ素子１６Ｂ、緑色有機ＥＬ素子１６Ｇおよび赤色有機ＥＬ素子１６Ｒは、それらの青色有機ＥＬ素子１６Ｂ、緑色有機ＥＬ素子１６Ｇおよび赤色有機ＥＬ素子１６Ｒを１組として、ＴＦＴ１２の配列パターンに対応して複数組に渡ってマトリックス状に配列されている。
【００３０】
これらの青色有機ＥＬ素子１６Ｂ、緑色有機ＥＬ素子１６Ｇおよび赤色有機ＥＬ素子１６Ｒは、互いにほぼ同様の構造を有しており、すなわち光反射性を有する下部電極層１６１Ｂ，１６１Ｇ，１６１Ｒと光半透過性を有する上部電極層１６４との間に有機層１６３が設けられた構造を有している。
【００３１】
より詳細には、便宜上、青色有機ＥＬ素子１６Ｂ、緑色有機ＥＬ素子１６Ｇおよび赤色有機ＥＬ素子１６Ｒの積層構造を互いに分離すると、それらの積層構造は、例えば、図２〜図４に示したように示される。なお、図３では、例えば、青色有機ＥＬ素子１６Ｂおよび赤色有機ＥＬ素子１６Ｒが互いに同一の積層構造を有していることに伴い、図示内容を簡略化するために、それらの青色有機ＥＬ素子１６Ｂおよび赤色有機ＥＬ素子１６Ｒの積層構造をまとめて示している。
【００３２】
すなわち、青色有機ＥＬ素子１６Ｂは、例えば、平坦化絶縁層１５に近い側から順に、下部電極層１６１Ｂ、有機層１６３、上部電極層１６４および反射面規定層１６５，１６６が積層された積層構造を有している。緑色有機ＥＬ素子１６Ｇは、例えば、平坦化絶縁層１５に近い側から順に、下部電極層１６１Ｇ、透明導電層１６２Ｇ、有機層１６３、上部電極層１６４および反射面規定層１６５，１６６が積層された積層構造を有している。赤色有機ＥＬ素子１６Ｒは、例えば、平坦化絶縁層１５に近い側から順に、下部電極層１６１Ｒ、有機層１６３、上部電極層１６４および反射面規定層１６５，１６６が積層された積層構造を有している。特に、青色有機ＥＬ素子１６Ｂおよび赤色有機ＥＬ素子１６Ｒのそれぞれは、厳密には、上記したように互いに同様の積層構造を有していることに伴い、青色光ＨＰＢまたは赤色光ＨＰＲのいずれか一方だけでなく、青色光ＨＰＢおよび赤色光ＨＰＲの双方を放出するようになっている。
【００３３】
下部電極層１６１Ｂ，１６１Ｇ，１６１Ｒは、有機層１６３に電圧を印加するための電極として機能する第１の電極層であり、図示しない駆動電源に接続されている。特に、下部電極層１６１Ｂ，１６１Ｇ，１６１Ｒは、有機層１６３から発生した光を上部電極層１６４を経由して外部に放出させるために、その光を反射させる反射電極として機能するものである。これらの下部電極層１６１Ｂ，１６１Ｇ，１６１Ｒは、光反射性を有し、より具体的には可視光の波長域において十分な反射率を有する材料により構成されている。ここでは、下部電極層１６１Ｂ，１６１Ｇ，１６１Ｒは、例えば、陽極として機能するために、有機層１６３に正孔（いわゆるホール）を効率よく注入することが可能であり、より具体的には仕事関数が十分に大きな材料により構成されている。この場合の下部電極層１６１Ｂ，１６１Ｇ，１６１Ｒの構成材料としては、例えば、ニッケル（Ｎｉ）、銀（Ａｇ）、金（Ａｕ）、白金（Ｐｔ）、パラジウム（Ｐｄ）、セレン（Ｓｅ）、ロジウム（Ｒｈ）、ルテニウム（Ｒｕ）、イリジウム（Ｉｒ）、レニウム（Ｒｅ）、タングステン（Ｗ）、モリブデン（Ｗ）、クロム（Ｃｒ）、タンタル（Ｔａ）、ニオブ（Ｎｂ）などの金属や、それらの金属の合金などが挙げられる。
【００３４】
透明導電層１６２Ｇは、緑色有機ＥＬ素子１６Ｇの光学的な構成条件（後述する光学的距離Ｌ，Ｄ）を調整するためのものである。この透明導電層１６２Ｇは、例えば、酸化インジウム錫（ＩＴＯ；indium tin oxide）や酸化亜鉛などの透明導電材料により構成されており、厚さＴＧを有している。
【００３５】
有機層１６３は、有機ＥＬ現象を利用して発光するものであり、複数の発光層を含み、すなわち複数の発光層が積層された積層構造（いわゆるタンデム構造）を有している。この有機層１６３は、例えば、複数の発光層として４種類の発光層（青色発光層１６３２，緑色発光層１６３４，青色発光層１６３６，赤色発光層１６３８）を含むと共に、それらの４種類の発光層を発光させるための複数の発光補助層（発光補助層１６３１，１６３３，１６３５，１６３７，１６３９）を併せて含んでいる。すなわち、有機層１６３は、例えば、下部電極層１６１Ｂ，１６１Ｇ，１６１Ｒに近い側から順に、発光補助層１６３１、青色発光層１６３２、発光補助層１６３３、緑色発光層１６３４、発光補助層１６３５、青色発光層１６３６、発光補助層１６３７、赤色発光層１６３８および発光補助層１６３９が積層された積層構造を有している。
【００３６】
発光補助層１６３１は、青色発光層１６３２に正孔を供給するものであり、例えば、下部電極層１６１Ｂ，１６１Ｇ，１６１Ｒに近い側から順に、正孔注入層および正孔輸送層（いずれも図示せず）が積層された積層構造を有している。この正孔注入層は、例えば、４，４’，４”−トリス（３−メチルフェニルフェニルアミノ）トリフェニルアミン（ｍ−ＭＴＤＡＴＡ）などにより構成されており、正孔輸送層は、例えば、ビス［（Ｎ−ナフチル）−Ｎ−フェニル］ベンジジン（α−ＮＰＤ）などにより構成されている。
【００３７】
青色発光層１６３２は、有機ＥＬ現象を利用して青色光ＨＢ１を発生させる発光層（第１の青色発光層）であり、例えば、化１に示した構造式で表される４，４’−（ビス（９−エチル−３−カルバゾビニレン）−１，１’−ビフェニル）（ＢＣｚＶＢｉ）が約５体積％混合された、化２に示した構造式で表される４，４−ビス（２，２−ジフェニル−エテン−１−イル）−ビフェニル（ＤＰＶＢｉ）などの電子輸送性発光材料により構成されている。
【００３８】
【化１】
2007012370.tif 000003
【００３９】
【化２】
2007012370.tif 000004
【００４０】
発光補助層１６３３は、青色発光層１６３２に電子を供給すると共に緑色発光層１６３４に正孔を供給するものであり、例えば、青色発光層１６３２に近い側から順に、電子輸送層、金属層および正孔輸送層（いずれも図示せず）が積層された積層構造を有している。この電子輸送層は、例えば、８−キノリノールアルミニウム錯体（Ａｌｑ）などにより構成されており、金属層は、例えば、フッ化リチウム（ＬｉＦ）／マグネシウム銀合金（ＭｇＡｇ）などにより構成されており、正孔輸送層は、例えば、α−ＮＰＤなどにより構成されている。この金属層の厚さは、約０．２ｎｍ〜４ｎｍであるのが好ましい。なぜなら、金属層の厚さが大きすぎると、光吸収量が大きくなることに起因して光取り出し効率が低下してしまうからである。この金属層の厚さが上記した範囲内であれば、発光補助層１６３３が電子および正孔の供給機能を果たしつつ、その発光補助層１６３３の透過率が約８０％以上となるため、十分な光取り出し効率が得られる。なお、発光補助層１６３３には、例えば、周知のタンデム構造を有する有機ＥＬ素子に適用されている各種層構造、より具体的には２つの発光層間に設けられることにより電子および正孔を発生または分離することが可能な各種層構造が適用されてもよい。この場合には、十分な光取り出し効率を得る観点から、発光補助層１６３３が可視光の波長域において透明であり、より具体的には透過率が約８０％以上であるのが好ましい。
【００４１】
緑色発光層１６３４は、有機ＥＬ現象を利用して緑色光ＨＧを発生させる発光層であり、例えば、クマリン６が約１体積％混合されたＡｌｑ（トリス（８−ヒドロキシキノリナート）アルミニウム）などの電子輸送性発光材料により構成されている。
【００４２】
発光補助層１６３５は、緑色発光層１６３４に電子を供給すると共に青色発光層１６３６に正孔を供給するものであり、例えば、発光補助層１６３３と同様の構成を有している。
【００４３】
青色発光層１６３６は、有機ＥＬ現象を利用して青色光ＨＢ２を発生させる発光層（第２の青色発光層）であり、例えば、青色発光層１６３２と同様の電子輸送性発光材料により構成されている。なお、青色発光層１６３６の構成材料は、必ずしも青色発光層１６３２の構成材料と一致していなければならないわけではなく、その青色発光層１６３２の構成材料と異なっていてもよい。
【００４４】
発光補助層１６３７は、青色発光層１６３６に電子を供給すると共に赤色発光層１６３８に正孔を供給するものであり、例えば、発光補助層１６３３と同様の構成を有している。
【００４５】
赤色発光層１６３８は、有機ＥＬ現象を利用して赤色光ＨＲを発生させる発光層であり、例えば、化３に示した構造式で表されるビスアミノスチリルナフタレンのメトキシ置換体（ＢＳＮ）が約３０体積％混合されたＡｌｑなどの正孔輸送性発光材料により構成されている。
【００４６】
【化３】
2007012370.tif 000005
【００４７】
発光補助層１６３９は、赤色発光層１６３８に電子を供給するものであり、例えば、上部電極層１６４に近い側から順に、電子注入層および電子輸送層（いずれも図示せず）が積層された積層構造を有している。この電子注入層は、例えば、マグネシウム（Ｍｇ）が約５体積％混合されたＡｌｑなどにより構成されており、電子輸送層は、例えば、Ａｌｑなどにより構成されている。なお、電子注入層は、例えば、上記したマグネシウム（Ｍｇ）が約５体積％混合されたＡｌｑの層上に、マグネシウム（Ｍｇ）および銀（Ａｇ）の共蒸着層（約０．１ｎｍ〜１０ｎｍ厚）が積層された積層構造を有していてもよいし、あるいはフッ化リチウム（ＬｉＦ）の層上に、マグネシウムおよび銀の共蒸着層（約０．１ｎｍ〜１０ｎｍ厚）が積層された積層構造を有していてもよい。
【００４８】
上部電極層１６４は、有機層１６３に電圧を印加するための電極として機能する第２の電極層であり、下部電極層１６１Ｂ，１６１Ｇ，１６１Ｒと同様に図示しない駆動電源に接続されている。特に、上部電極層１６４は、有機層１６３から発生した光を外部に導くために、その光を透過させる透過電極として機能するものである。この上部電極層１６４は、光透過性を有し、より具体的には可視光の波長域において十分な透過率を有する材料により構成されている。この場合の上部電極層１６４の構成材料としては、例えば、酸化錫（ＳｎＯ2 ）、酸化インジウム錫（ＩＴＯ；Indium Tin Oxide）、酸化亜鉛（ＺｎＯ）または酸化チタン（ＴｉＯ2 ）などの透明導電材料が挙げられる。なお、「透明」とは、いわゆる光透過性と同義である。
【００４９】
反射面規定層１６５，１６６は、屈折率の差異を利用して光共振器構造のうちの反射面（第２の反射面；後述する反射面１６５６Ｍ）を規定するものである。すなわち、反射面規定層１６５は、相対的に高い屈折率ｎＨを有することにより高屈折率層として機能するものであり、可視光の波長域において光吸収量が小さな材料により構成されている。この反射面規定層１６５の構成材料としては、例えば、ＩＴＯ、酸化亜鉛、酸化チタン、酸化マグネシウム（ＭｇＯ）、酸化モリブデン（ＭｏＯ3 ）、酸化ニオブ（Ｎｂ2 Ｏ5 ）またはセレン化亜鉛（ＺｎＳ）などの高屈折率材料が挙げられる。一方、反射面規定層１６６は、相対的に低い屈折率層ｎＬを有することにより低屈折率層として機能するものであり、やはり可視光の波長域において光吸収量が小さな材料により構成されている。この反射面規定層１６６の構成材料としては、例えば、フッ化リチウム（ＬｉＦ）、フッ化カルシウム（ＣａＦ2 ）、フッ化マグネシウム（ＭｇＦ2 ）、フッ化アルミニウム（ＡｌＦ3 ）、臭化カリウム（ＫＢｒ）、酸化ケイ素（ＳｉＯ2 ）または窒化ケイ素（ＳｉＮ）などの低屈折率材料が挙げられる。確認までに、反射面規定層１６５，１６６は、上記したように高屈折率層または低屈折率層として機能し得る限り、単層構造を有していてもよいし、あるいは積層構造を有していてもよい。
【００５０】
なお、図１に示したように、下部電極層１６１Ｂ，１６１Ｇ，１６１Ｒは、青色有機ＥＬ素子１６Ｂ、緑色有機ＥＬ素子１６Ｇおよび赤色有機ＥＬ素子１６Ｒのそれぞれの配置領域ごとに分割されている。一方、有機層１６３、上部電極層１６４および反射面規定層１６５，１６６は、青色有機ＥＬ素子１６Ｂ、緑色有機ＥＬ素子１６Ｇおよび赤色有機ＥＬ素子１６Ｒのそれぞれの配置領域を連続的に経由するように延在しており、すなわち青色有機ＥＬ素子１６Ｂ、緑色有機ＥＬ素子１６Ｇおよび赤色有機ＥＬ素子１６Ｒにより共有されている。
【００５１】
層内絶縁層１７は、例えば、ポリイミドまたはポリベンゾオキサゾールなどの有機絶縁性材料や酸化ケイ素（ＳｉＯ2 ）などの無機絶縁性材料により構成されており、青色有機ＥＬ素子１６Ｂ、緑色有機ＥＬ素子１６Ｇおよび赤色有機ＥＬ素子１６Ｒの周囲に設けられている。
【００５２】
保護層１８は、主に有機ＥＬ素子１６を保護するものであり、例えば、窒化ケイ素（ＳｉＮ）などの光透過性誘電性材料により構成されたパッシベーション膜である。
【００５３】
一方、封止パネル２０は、封止用基板２１の一面に、カラーフィルタ２２が設けられた構造を有している。
【００５４】
封止用基板２１は、カラーフィルタ２２を支持すると共に、画像表示用の光ＨＰを透過させることにより外部へ放出させるためのものであり、例えば、ガラスなどの光透過性絶縁性材料により構成されている。
【００５５】
カラーフィルタ２２は、有機ＥＬ素子１６（青色有機ＥＬ素子１６Ｂ，緑色有機ＥＬ素子１６Ｇ，赤色有機ＥＬ素子１６Ｒ）において発生した青色光ＨＰＢ、緑色光ＨＰＧおよび赤色光ＨＰＲを透過させると共に、有機ＥＬディスプレイ１００の内部に外光が侵入することにより有機ＥＬ素子１６などの高反射性部品において反射した際に、その反射光を吸収することによりコントラストを確保するためのものである。このカラーフィルタ２２は、青色有機ＥＬ素子１６Ｂ、緑色有機ＥＬ素子１６Ｇおよび赤色有機ＥＬ素子１６Ｒにそれぞれ対応して配置された３色のフィルタ領域、すなわち青色フィルタ領域２２Ｂ、緑色フィルタ領域２２Ｇおよび赤色フィルタ領域２２Ｒを含んでいる。なお、青色フィルタ領域２２Ｂ、緑色フィルタ領域２２Ｇおよび赤色フィルタ領域２２Ｒは、例えば、それぞれ青色、緑色および赤色の顔料が混入された樹脂を含んで構成されている。
【００５６】
なお、接着層３０は、駆動パネル１０と封止パネル２０とを互いに貼り合わせるためのものであり、例えば、熱硬化型樹脂などの接着材料を含んで構成されている。
【００５７】
ここで、図２〜図４を参照して、有機ＥＬ素子１６（青色有機ＥＬ素子１６Ｂ，緑色有機ＥＬ素子１６Ｇ，赤色有機ＥＬ素子１６Ｒ）の詳細な構成について説明する。
【００５８】
第１に、所定の反射面（第１の反射面）と有機層１６３を構成している複数の発光層のうちの各発光層（青色発光層１６３２，緑色発光層１６３４，青色発光層１６３６，赤色発光層１６３８）の発光面との間の距離は、下記に示した関係式１１を満たしている。
Ｌ＝（ｍＬ−ΦＬ／２π）λＬ／２・・・関係式１１
（「Ｌ」は所定の反射面と各発光層の発光面との間の距離（第１の光学的距離）、「ｍＬ」は次数（０または整数）、「ΦＬ」は各発光層から発生した光が所定の反射面において反射する際に生じる位相シフト、「λＬ」は各発光層から発生した光が有機発光素子１６から放出される際のスペクトルのピーク波長をそれぞれ表す。）
【００５９】
上記した「所定の反射面」とは、例えば、下部電極層１６１Ｂ，１６１Ｇ，１６１Ｒの反射面１６１ＢＭ，１６１ＧＭ，１６１ＲＭであり、すなわち下部電極層１６１Ｂ，１６１Ｒのうちの発光補助層１６３１に隣接する面および下部電極層１６１Ｇのうちの透明導電層１６２Ｇに隣接する面である。
【００６０】
図３および図４を参照して各発光層ごとに光学的距離Ｌを説明すると、以下の通りである。
【００６１】
すなわち、下部電極層１６１Ｂ，１６１Ｇ，１６１Ｒの反射面１６１ＢＭ，１６１ＧＭ，１６１ＲＭと青色発光層１６３２の発光面１６３２Ｍとの間の光学的距離は、下記に示した関係式１２を満たしている。ここでは、例えば、関係式１２中の次数ｍＬＢ１が、ｍＬＢ１＝０である。
ＬＢ１＝（ｍＬＢ１−ΦＬＢ１／２π）λＬＢ１／２・・・関係式１２
（「ＬＢ１」は反射面１６１ＢＭ，１６１ＧＭ，１６１ＲＭと発光面１６３２Ｍとの間の距離（第１の光学的距離）、「ｍＬＢ１」は次数（０または整数）、「ΦＬＢ１」は青色発光層１６３２から発生した青色光ＨＢ１が反射面１６１ＢＭ，１６１ＧＭ，１６１ＲＭにおいて反射する際に生じる位相シフト、「λＬＢ１」は青色発光層１６３２から発生した青色光ＨＢ１が青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００６２】
上記した「発光面１６３２Ｍ」とは、青色発光層１６３２が面発光すると考えた場合に、その青色発光層１６３２中において発光している確率（有機ＥＬ現象を利用して実質的に発光している確率）が最も高い面であり、その青色発光層１６３２の材質（電子輸送性発光材料または正孔輸送性発光材料）に基づいて決定される面である。ここでは、例えば、青色発光層１６３２が電子輸送性発光材料により構成されていることに伴い、発光面１６３２Ｍは、その青色発光層１６３２のうちの発光補助層１６３１に隣接する面である。
【００６３】
下部電極層１６１Ｂ，１６１Ｇ，１６１Ｒの反射面１６１ＢＭ，１６１ＧＭ，１６１ＲＭと緑色発光層１６３４の反射面１６３４Ｍとの間の光学的距離は、下記に示した関係式１３を満たしている。ここでは、例えば、関係式１３中の次数ｍＬＧが、ｍＬＧ＝１である。
ＬＧ＝（ｍＬＧ−ΦＬＧ／２π）λＬＧ／２・・・関係式１３
（「ＬＧ」は反射面１６１ＢＭ，１６１ＧＭ，１６１ＲＭと発光面１６３４Ｍとの間の距離（第１の光学的距離）、「ｍＬＧ」は次数（０または整数）、「ΦＬＧ」は緑色発光層１６３４から発生した緑色光ＨＧが反射面１６１ＢＭ，１６１ＧＭ，１６１ＲＭにおいて反射する際に生じる位相シフト、「λＬＧ」は緑色発光層１６３４から発生した緑色光ＨＧが青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００６４】
上記した「発光面１６３４Ｍ」とは、例えば、緑色発光層１６３４が青色発光層１６３２と同様に電子輸送性発光材料により構成されていることに伴い、その緑色発光層１６３４のうちの発光補助層１６３３に隣接する面である。
【００６５】
下部電極層１６１Ｂ，１６１Ｇ，１６１Ｒの反射面１６１ＢＭ，１６１ＧＭ，１６１ＲＭと青色発光層１６３６の反射面１６３６Ｍとの間の光学的距離は、下記に示した関係式１４を満たしている。ここでは、例えば、関係式１４中の次数ｍＬＢ２が、ｍＬＢ２＝１である。
ＬＢ２＝（ｍＬＢ２−ΦＬＢ２／２π）λＬＢ２／２・・・関係式１４
（「ＬＢ２」は反射面１６１ＢＭ，１６１ＧＭ，１６１ＲＭと発光面１６３６Ｍとの間の距離（第１の光学的距離）、「ｍＬＢ２」は次数（０または整数）、「ΦＬＢ２」は青色発光層１６３６から発生した青色光ＨＢ２が反射面１６１ＢＭ，１６１ＧＭ，１６１ＲＭにおいて反射する際に生じる位相シフト、「λＬＢ２」は青色発光層１６３６から発生した青色光ＨＧが青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００６６】
上記した「発光面１６３６Ｍ」とは、例えば、青色発光層１６３６が青色発光層１６３２と同様に電子輸送性発光材料により構成されていることに伴い、その青色発光層１６３６のうちの発光補助層１６３５に隣接する面である。
【００６７】
下部電極層１６１Ｂ，１６１Ｇ，１６１Ｒの反射面１６１ＢＭ，１６１ＧＭ，１６１ＲＭと赤色発光層１６３８の発光面１６３８Ｍとの間の光学的距離は、下記に示した関係式１５を満たしている。ここでは、例えば、関係式１５中の次数ｍＬＲが、ｍＬＲ＝１である。
ＬＲ＝（ｍＬＲ−ΦＬＲ／２π）λＬＲ／２・・・関係式１５
（「ＬＲ」は反射面１６１ＢＭ，１６１ＧＭ，１６１ＲＭと発光面１６３８Ｍとの間の距離（第１の光学的距離）、「ｍＬＲ」は次数（０または整数）、「ΦＬＲ」は赤色発光層１６３８から発生した赤色光ＨＲが反射面１６１ＢＭ，１６１ＧＭ，１６１ＲＭにおいて反射する際に生じる位相シフト、「λＬＲ」は赤色発光層１６３８から発生した赤色光ＨＲが青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００６８】
上記した「発光面１６３８Ｍ」とは、例えば、赤色発光層１６３８が正孔輸送性発光材料により構成されていることに伴い、その赤色発光層１６３８のうちの発光補助層１６３９に隣接する面である。
【００６９】
これらの光学的距離ＬＢ１，ＬＧ，ＬＢ２，ＬＲは、青色発光層１６３２、緑色発光層１６３４、青色発光層１６３６および赤色発光層１６３８のそれぞれから発生した青色光ＨＢ１、緑色光ＨＧ、青色光ＨＢ２および赤色光ＨＲが下部電極層１６１Ｂ，１６１Ｇ，１６１Ｒの反射面１６１ＢＭ，１６１ＧＭ，１６１ＲＭにおいて反射されたのちに上部電極層１６４を経由することにより青色有機ＥＬ素子１６Ｂ、緑色有機ＥＬ素子１６Ｇおよび赤色有機ＥＬ素子１６Ｒの外部に放出される過程において、それらの青色光ＨＢ１、緑色光ＨＧ、青色光ＨＢ２および赤色光ＨＲの光取り出し効率が光の干渉現象を利用して増加するように個別に設定されている。より具体的には、光学的距離ＬＢ１，ＬＢ２は、青色に対応する波長域（例えば、約４６０ｎｍ近傍の波長域）において青色光ＨＢ１，ＨＢ２の強度が増強されるように設定され、光学的距離ＬＧは、緑色に対応する波長域（例えば、約５３０ｎｍ近傍の波長域）において緑色光ＨＧの強度が増強されるように設定され、光学的距離ＬＲは、赤色に対応する波長域（例えば、約６２０ｎｍ近傍の波長域）において赤色光ＨＲの強度が増強されるように設定されている。
【００７０】
第２に、下部電極層１６１Ｂ，１６１Ｇ，１６１Ｒと有機層１６３との間の距離は、青色有機ＥＬ素子１６Ｂ、緑色有機ＥＬ素子１６Ｇおよび赤色有機ＥＬ素子１６Ｒのうちの少なくとも１つにおいて異なっている。
【００７１】
ここでは、例えば、上記した下部電極層１６１Ｂ，１６１Ｇ，１６１Ｒと有機層１６３との間の距離が、青色有機ＥＬ素子１６Ｂおよび赤色有機ＥＬ素子１６Ｒよりも緑色有機ＥＬ素子１６Ｇにおいて大きくなっている。より具体的には、例えば、図３および図４に示したように、緑色有機ＥＬ素子１６Ｇにおいて、下部電極層１６１Ｇと有機層１６３との間に透明導電層１６２Ｇ（厚さＴＧ）が設けられている一方で、青色有機ＥＬ素子１６Ｂおよび赤色有機ＥＬ素子１６Ｒのいずれにおいても、下部電極層１６１Ｂ，１６１Ｒと有機層１６３との間に上記した透明導電層１６２Ｇに対応する透明導電層が設けられていない。これにより、下部電極層１６１Ｂ，１６１Ｇ，１６１Ｒと有機層１６３との間の距離は、上記した透明導電層１６２Ｇの厚さ分だけ、青色有機ＥＬ素子１６Ｂおよび赤色有機ＥＬ素子１６Ｒよりも緑色有機ＥＬ素子１６Ｇにおいて大きくなっている。すなわち、緑色有機ＥＬ素子１６Ｇでは、青色有機ＥＬ素子１６Ｂおよび赤色有機ＥＬ素子１６Ｒとは異なり、透明導電層１６２Ｇの厚さを加味して光学的距離ＬＢ１，ＬＧ，ＬＢ２，ＬＲが規定される。
【００７２】
これらの光学的距離ＬＢ１，ＬＧ，ＬＢ２，ＬＲは、青色有機ＥＬ素子１６Ｂ、緑色有機ＥＬ素子１６Ｇおよび赤色有機ＥＬ素子１６Ｒのそれぞれから青色光ＨＢ１、緑色光ＨＧ、青色光ＨＢ２および赤色光ＨＲが放出される過程において、それらの青色有機ＥＬ素子１６Ｂ、緑色有機ＥＬ素子１６Ｇおよび赤色有機ＥＬ素子１６Ｒから光の干渉現象を利用して互いに異なる波長域の光が選択的に取り出されるように設定されている。より具体的には、青色有機ＥＬ素子１６Ｂおよび赤色有機ＥＬ素子１６Ｒでは、青色光ＨＢ１、緑色光ＨＧ、青色光ＨＢ２および赤色光ＨＲの中から青色に対応する波長域（例えば、約４６０ｎｍ近傍の波長域）の青色光ＨＰＢおよび赤色に対応する波長域（例えば、約６２０ｎｍ近傍の波長域）の赤色光ＨＰＲが選択的に取り出されると共に、緑色有機ＥＬ素子１６Ｇでは、青色光ＨＢ１、緑色光ＨＧ、青色光ＨＢ２および赤色光ＨＲの中から緑色に対応する波長域（例えば、約５３０ｎｍ近傍の波長域）の緑色光ＨＰＧが選択的に取り出されるように設定されている。
【００７３】
第３に、青色有機ＥＬ素子１６Ｂ、緑色有機ＥＬ素子１６Ｇおよび赤色有機ＥＬ素子１６Ｒは、有機層１６３のうちの複数の発光層（青色発光層１６３２，緑色発光層１６３４，青色発光層１６３６，赤色発光層１６３８）から発生した光を一方の反射面（第１の反射面）と他方の反射面（第２の反射面）との間において反射させて共振させる光共振器構造を有しており、すなわち一種の狭帯域フィルタとして働く機能を有している。
【００７４】
これらの青色有機ＥＬ素子１６Ｂ、緑色有機ＥＬ素子１６Ｇおよび赤色有機ＥＬ素子１６Ｒでは、一方の反射面と他方の反射面との間の距離が、下記に示した関係式１６を満たしている。
Ｄ＝（ｍＤ−ΦＤ／２π）λＤ／２・・・関係式１６
（「Ｄ」は一方の反射面と他方の反射面との間の距離（第２の光学的距離）、「ｍＤ」は次数（０または整数）、「ΦＤ」は複数の発光層から発生した光が一方の反射面および他方の反射面において反射する際に生じる位相シフト、「λＬ」は複数の発光層から発生した光が青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００７５】
上記した「一方の反射面」とは、例えば、下部電極層１６１Ｂ，１６１Ｇ，１６１Ｒの反射面１６１ＢＭ，１６１ＧＭ，１６１ＲＭである。また、「他方の反射面」とは、例えば、互いに隣接する２つの層間における屈折率の差異に基づいて光を反射し、すなわち下部電極層１６１Ｂ，１６１Ｇ，１６１Ｒの反射面１６１ＢＭ，１６１ＧＭ，１６１ＲＭにおいて反射された光を反射し得るだけの十分な屈折率差を有する界面である。ここでは、例えば、高屈折率層として機能する反射面規定層１６５（屈折率ｎＨ）と低屈折率層として機能する反射面規定層１６６（屈折率ｎＬ）との間において十分な屈折率差が確保されていることに伴い、「他方の反射面」は、反射面規定層１６５，１６６の間の界面１６５６Ｍである。
【００７６】
この光学的距離Ｄは、青色有機ＥＬ素子１６Ｂ、緑色有機ＥＬ素子１６Ｇおよび赤色有機ＥＬ素子１６Ｒのそれぞれから青色光ＨＰＢ、緑色光ＨＰＧおよび赤色光ＨＰＲが放出される過程において、それらの青色光ＨＰＢ、緑色光ＨＰＧおよび赤色光ＨＰＲの色純度が光共振器構造の光共振現象を利用して増強されるように設定されている。ここでは、例えば、関係式１６中の次数ｍＤが、青色発光層１６３２に関してｍＤ＝２、緑色発光層１６３４に関してｍＤ＝２、青色発光層１６３６に関してｍＤ＝２、赤色発光層１６３８に関してｍＤ＝１である。
【００７７】
この有機ＥＬディスプレイ１００は、以下のように動作する。
【００７８】
すなわち、図１〜図４に示したように、駆動パネル１０のうちのＴＦＴ１２を利用して青色有機ＥＬ素子１６Ｂ、緑色有機ＥＬ素子１６Ｇおよび赤色有機ＥＬ素子１６Ｒが駆動され、すなわち下部電極層１６１Ｂ，１６１Ｇ，１６１Ｒと上部電極層１６４との間に電圧が印加されると、有機層１６３のうちの青色発光層１６３２、緑色発光層１６３４、青色発光層１６３６および赤色発光層１６３８（発光点ＮＢ，ＮＧ，ＮＲ）において、発光補助層１６３１，１６３３，１６３５，１６３７，１６３９から供給された正孔および電子が再結合することにより発光する。すなわち、青色発光層１６３２から青色光ＨＢ１が発生し、緑色発光層１６３４から緑色光ＨＧが発生し、青色発光層１６３６から青色光ＨＢ２が発生し、赤色発光層１６３８から赤色光ＨＲが発生する。
【００７９】
この際、図３および図４に示したように、青色光ＨＢ１、緑色光ＨＧ、青色発光層ＨＢ２および赤色光ＨＲが下部電極層１６１Ｂ，１６１Ｇ，１６１Ｒの反射面１６１ＢＭ，１６１ＧＭ，１６１ＲＭにおいて反射されたのちに上部電極層１６４を経由することにより青色有機ＥＬ素子１６Ｂ、緑色有機ＥＬ素子１６Ｇおよび赤色有機ＥＬ素子１６Ｒから放出される過程において、光学的距離ＬＢ１，ＬＧ，ＬＢ２，ＬＲの差異を利用して光の干渉現象が生じる。これにより、光の干渉現象を利用して青色光ＨＢ１、緑色光ＨＧ、青色光ＨＢ２および赤色光ＨＲの中から青色有機ＥＬ素子１６Ｂ、緑色有機ＥＬ素子１６Ｇおよび赤色有機ＥＬ素子１６Ｒごとに互いに異なる波長域の光が取り出されるため、それらの青色有機ＥＬ素子１６Ｂ、緑色有機ＥＬ素子１６Ｇおよび赤色有機ＥＬ素子１６Ｒからそれぞれ青色光ＨＰＢ、緑色光ＨＰＧおよび赤色光ＨＰＲが放出される。この際、厳密には、緑色有機ＥＬ素子１６Ｇから緑色光ＨＰＧのみが放出される一方で、青色有機ＥＬ素子１６Ｂおよび赤色有機ＥＬ素子１６Ｒのそれぞれから青色光ＨＰＢおよび赤色光ＨＰＲの双方が放出される。しかも、光の干渉現象を利用して光取り出し効率が増加するため、青色光ＨＰＢ、緑色光ＨＰＧおよび赤色光ＨＰＲの強度が増強される。これにより、青色光ＨＰＢ、緑色光ＨＰＧおよび赤色光ＨＰＲの合成光として画像表示用の光ＨＰが有機ＥＬディスプレイ１００の外部へ放出されることにより画像として視認されるため、その画像表示用の光ＨＰに基づいてフルカラーの画像が表示される。
【００８０】
この場合には、特に、図２〜図４に示したように、青色光ＨＰＢ、緑色光ＨＰＧおよび赤色光ＨＰＲが下部電極層１６１Ｒ，１６１Ｇ，１６１Ｂの反射面１６１ＢＭ，１６１ＧＭ，１６１ＲＭと反射面規定層１６５，１６６の間の界面１６５６Ｍとの間において反射されることにより共振される。これにより、赤色光ＨＲ、緑色光ＨＧおよび青色光ＨＢの半値幅が減少するため、それらの赤色光ＨＲ、緑色光ＨＧおよび青色光ＨＢの色純度が向上する。
【００８１】
本実施の形態に係る有機ＥＬディスプレイ１００では、青色有機ＥＬ素子１６Ｂ、緑色有機ＥＬ素子１６Ｇおよび赤色有機ＥＬ素子１６Ｒにおいて、下部電極層１６１Ｂ，１６１Ｇ，１６１Ｒと上部電極層１６４との間に設けられた有機層１６３が、複数の発光層（青色発光層１６３２，緑色発光層１６３４，青色発光層１６３６，赤色発光層１６３８）が積層された積層構造を有しており、特に、以下の３つの構成条件を満たしている。すなわち、第１に、下部電極層１６１Ｂ，１６１Ｇ，１６１Ｒの反射面１６１ＢＭ，１６１ＧＭ，１６１ＲＭと青色発光層１６３２、緑色発光層１６３４、青色発光層１６３６および赤色発光層１６３８のそれぞれの発光面１６３２Ｍ，１６３４Ｍ，１６３６Ｍ，１６３８Ｍとの間の距離（光学的距離ＬＢ１，ＬＧ，ＬＢ２，ＬＲ）が、上記した関係式１１（関係式１２〜１５）を満たしている。第２に、下部電極層１６１Ｂ，１６１Ｇ，１６１Ｒの反射面１６１ＢＭ，１６１ＧＭ，１６１ＲＭと反射面規定層１６５，１６６の間の界面１６５６Ｍとの間の距離（光学的距離Ｄ）が、上記した関係式１６を満たしている。第３に、下部電極層１６１Ｂ，１６１Ｇ，１６１Ｒと有機層１６３との間の距離が、青色有機ＥＬ素子１６Ｂおよび赤色有機ＥＬ素子１６Ｒよりも緑色有機ＥＬ素子１６Ｇにおいて大きくなっている。
【００８２】
この３つの構成条件を満たした有機ＥＬディスプレイ１００では、青色有機ＥＬ素子１６Ｂ、緑色有機ＥＬ素子１６Ｇおよび赤色有機ＥＬ素子１６Ｒのいずれにおいても初期段階において青色光ＨＢ１、緑色光ＨＧ、青色光ＨＢ２および赤色光ＨＲが発生するにもかかわらず、光学的距離ＬＢ１，ＬＧ，ＬＢ２，ＬＲの差異に基づく光の干渉現象を利用して、それらの青色有機ＥＬ素子１６Ｂ、緑色有機ＥＬ素子１６Ｇおよび赤色有機ＥＬ素子１６Ｒからそれぞれ青色光ＨＰＢ、緑色光ＨＧおよび赤色光ＨＲが放出され、厳密には、緑色有機ＥＬ素子１６Ｇから緑色光ＨＰＧのみが放出される一方で、青色有機ＥＬ素子１６Ｂおよび赤色有機ＥＬ素子１６Ｒのそれぞれから青色光ＨＰＢおよび赤色光ＨＰＲの双方が放出される。これにより、青色光ＨＰＢ、緑色光ＨＧおよび赤色光ＨＲの合成光（画像表示用の光ＨＰ）に基づいてフルカラーの画像が表示される。この際、上記した関係式１２〜１５を満たすように光学的距離ＬＢ１，ＬＧ，ＬＢ２，ＬＲが設定されているため、光の干渉現象を利用して青色光ＨＢ１、緑色光ＨＧ、青色光ＨＢ２および赤色光ＨＲの光取り出し効率が増加することにより、青色光ＨＰＢ、緑色光ＨＰＧおよび赤色光ＨＰＲの強度が増強される。しかも、青色有機ＥＬ素子１６Ｂ、緑色有機ＥＬ素子１６Ｇおよび赤色有機ＥＬ素子１６Ｒがいずれも光共振器構造を有しており、特に、上記した関係式１６を満たすように光学的距離Ｄが設定されているため、光の共振現象を利用して青色光ＨＰＢ、緑色光ＨＰＧおよび赤色光ＨＰＲの色純度が向上する。したがって、画像表示用の光ＨＰ（青色光ＨＰＢ，緑色光ＨＰＧ，赤色光ＨＰＲ）の強度および色純度の観点において青色有機ＥＬ素子１６Ｂ、緑色有機ＥＬ素子１６Ｇおよび赤色有機ＥＬ素子１６Ｒの発光性能が向上するため、上記した３つの構成条件が満たされていない場合と比較して、表示性能を向上させることができる。
【００８３】
この場合には、特に、有機層１６３が複数の発光層として４種類の発光層（青色発光層１６３２，緑色発光層１６３４，青色発光層１６３６，赤色発光層１６３８）を含む場合に、関係式１１中の次数ｍＬを各発光層ごとに最適化し、すなわち青色発光層１６３２に関する関係式１２中の次数ｍＬＢ１をｍＬＢ１＝０、緑色発光層１６３４に関する関係式１３中の次数ｍＬＧをｍＬＧ＝１、青色発光層１６３６に関する関係式１４中の次数ｍＬＢ２をｍＬＢ２＝１、赤色発光層１６３８に関する関係式１５中の次数ｍＬＲをｍＬＲ＝１としたので、光学的距離ＬＢ１，ＬＧ，ＬＢ２，ＬＲの差異に基づく光の干渉現象を利用して青色光ＨＢ１、緑色光ＨＧ、青色光ＨＢ２および赤色光ＨＲの光取り出し効率を増加させる観点において、その干渉条件が各色ごとに最適化される。しかも、関係式１６中の次数ｍＤを各発光層ごとに最適化し、すなわち青色発光層１６３２に関してｍＤ＝２、緑色発光層１６３４に関してｍＤ＝２、青色発光層１６３６に関してｍＤ＝２、赤色発光層１６３８に関してｍＤ＝１としたので、光学的距離Ｄに基づく光の共振現象を利用して青色光ＨＢ１、緑色光ＨＧ、青色光ＨＢ２および赤色光ＨＲの色純度を向上させる観点において、その共振条件が各色ごとに最適化される。したがって、青色光ＨＰＢ、緑色光ＨＰＧおよび赤色光ＨＰＲの強度が著しく増強されると共に色純度が著しく向上するため、表示性能を可能な限り向上させることができる。
【００８４】
なお、本実施の形態に係る有機ＥＬディスプレイ１００において青色光ＨＰＢ、緑色光ＨＰＧおよび赤色光ＨＰＲの色純度が向上する点に関して補足しておくと、以下の通りである。すなわち、本実施の形態では、上記したように、下部電極層１６１Ｂ，１６１Ｇ，１６１Ｒと有機層１６３との間の距離が青色有機ＥＬ素子１６Ｂおよび赤色有機ＥＬ素子１６Ｒよりも緑色有機ＥＬ素子１６Ｇにおいて大きくなっているため、光学的距離ＬＢ１，ＬＧ，ＬＢ２，ＬＲがやはり青色有機ＥＬ素子１６Ｂおよび赤色有機ＥＬ素子１６Ｒよりも緑色有機ＥＬ素子１６Ｇにおいて大きくなる。この場合には、光取り出し効率に寄与する光学的距離ＬＢ１，ＬＧ，ＬＢ２，ＬＲが青色有機ＥＬ素子１６Ｂおよび赤色有機ＥＬ素子１６Ｒと緑色有機ＥＬ素子１６Ｇとの間において別個に設定され、すなわち青色光ＨＰＢおよび緑色光ＨＰＧの波長域が隣り合っている青色有機ＥＬ素子１６Ｂと緑色有機ＥＬ素子１６Ｇとの間において光取り出し条件が互いに異なるように設定されると共に、同様に緑色光ＨＰＧおよび赤色光ＨＰＲの波長域が隣り合っている緑色有機ＥＬ素子１６Ｇと赤色有機ＥＬ素子１６Ｒとの間において光取り出し条件が互いに異なるように設定される。したがって、下部電極層１６１Ｂ，１６１Ｇ，１６１Ｒと有機層１６３との間の距離が青色有機ＥＬ素子１６Ｂ、赤色有機ＥＬ素子１６Ｒおよび緑色有機ＥＬ素子１６Ｇの間において互いに等しい場合と比較して、青色光ＨＰＢ、緑色光ＨＰＧおよび赤色光ＨＰＲの色純度を向上させることができる。この場合には、特に、カラーフィルタ２２を使用することにより、青色光ＨＰＢ、緑色光ＨＰＧおよび赤色光ＨＰＲの色純度が十分に高くなるため、その色純度を著しく向上させることができる。
【００８５】
また、本実施の形態では、有機層１６３が緑色発光層（緑色発光層１６３４）および赤色発光層（赤色発光層１６３８）をそれぞれ１つずつ含む一方で青色発光層（青色発光層１６３２，１６３６）を２つ含むようにしたので、相対的に視感度が高い緑色光（緑色光ＨＧ）および赤色光（赤色光ＨＲ）の強度よりも、相対的に視感度が低い青色光（青色光ＨＢ１，ＨＢ２）の強度が大きくなる。したがって、視感度の観点において青色光ＨＰＢ、緑色光ＨＰＧおよび赤色光ＨＰＲの強度バランスが適正化されるため、画像表示用の光ＨＰの色バランスを適正化することができる。なお、確認までに説明しておくと、有機層１６３が２つの青色発光層１６３２，１６３６を含む場合に、画像表示用の光ＨＰの強度や視野角依存性の観点において青色発光層１６３２，１６３６の構成材料を検討すると、例えば、上記した関係式１２，１４中の次数ｍＬＢ１，ｍＬＢ２を考慮することにより（例えば、ｍＬＢ１＝０，ｍＬＢ２＝１）、相対的に次数が高い青色発光層１６３６に関して、相対的に発光スペクトルの半値幅が大きくなるような材料を使用するのが好ましい。
【００８６】
上記した他、本実施の形態に係る有機ＥＬ素子１６（青色有機ＥＬ素子１６Ｂ，緑色有機ＥＬ素子１６Ｇ，赤色有機ＥＬ素子１６Ｒ）では、下部電極層１６１Ｂ，１６１Ｇ，１６１Ｒと上部電極層１６４との間に、複数の発光層（青色発光層１６３２，緑色発光層１６３４，青色発光層１６３６，赤色発光層１６３８）が積層された積層構造を有する有機層１６３が設けられており、特に、上記した３つの構成条件を満たすようにしたので、上記したように、画像表示用の光ＨＰ（青色光ＨＰＢ，緑色光ＨＰＧ，赤色光ＨＰＲ）の強度が増強されると共に色純度が向上する。したがって、発光性能を向上させることができる。この場合には、特に、上記したように、関係式１１中の次数ｍＬを各発光層ごとに最適化し、すなわち関係式１２〜１５に示した次数ｍＬＢ１，ｍＬＧ，ｍＬＢ２，ｍＬＲを最適化する（ｍＬＢ１＝０，ｍＬＧ＝１，ｍＬＢ２＝１，ｍＬＲ＝１）と共に、関係式１６中の次数ｍＤを各発光層ごとに最適化し、すなわち次数ｍＤを青色発光層１６３２に関してｍＤ＝２、緑色発光層１６３４に関してｍＤ＝２、青色発光層１６３６に関してｍＤ＝２、赤色発光層１６３８に関してｍＤ＝１とすることにより、発光性能を可能な限り向上させることができる。
【００８７】
なお、本実施の形態では、図３および図４に示したように、青色有機ＥＬ素子１６Ｂ、緑色有機ＥＬ素子１６Ｇおよび赤色有機ＥＬ素子１６Ｒにおいて、光共振器構造のうちの反射面（第２の反射面）を構成するために、上部電極層１６４上に、相対的に高い屈折率ｎＨを有する反射面規定層１６５および相対的に低い屈折率層ｎＬを有する反射面規定層１６６をこの順に設けることにより、それらの反射面規定層１６５，１６６の間の界面１６５６Ｍにおいて光を反射させるようにしたが、必ずしもこれに限られるものではない。すなわち、青色有機ＥＬ素子１６Ｂ、緑色有機ＥＬ素子１６Ｇおよび赤色有機ＥＬ素子１６Ｒの構造は、屈折率の差異を利用して光共振器構造のうちの反射面（第２の反射面）を構成し得る限り、自由に変更可能である。
【００８８】
具体的な一例を挙げれば、図３および図４にそれぞれ対応する図５および図６に示したように、上部電極層１６４が相対的に高い屈折率ｎＨを有することにより高屈折率層として機能する場合には、その上部電極層１６４上に反射面規定層１６５（屈折率ｎＨ）を設けずに反射面規定層１６６（屈折率ｎＬ）のみを設けることにより、屈折率の差異を利用して上部電極層１６４（屈折率ｎＨ）と反射面規定層１６６（屈折率ｎＬ）との間の界面１６４６Ｍにおいて光を反射させるようにしてもよい。この場合においても、反射面１６１ＢＭ，１６１ＧＭ，１６１ＲＭと界面１６４６Ｍとの間の光学的距離Ｄが上記した関係式１６を満たすことにより、図３および図４に示した場合と同様の効果を得ることができる。なお、図５および図６に示した青色有機ＥＬ素子１６Ｂ、緑色有機ＥＬ素子１６Ｇおよび赤色有機ＥＬ素子１６Ｒに関する上記以外の構成は、それぞれ図３および図４に示した場合と同様である。
【００８９】
また、他の例として、図３および図４にそれぞれ対応する図７および図８に示したように、有機層１６３のうちの発光補助層１６３９が相対的に高い屈折率ｎＨを有することにより高屈折率層として機能すると共に、上部電極層１６４が相対的に低い屈折率ｎＬを有することにより低屈折率層として機能する場合には、その上部電極層１６４上に反射面規定層１６５，１６６を設けないことにより、屈折率の差異を利用して発光補助層１６３９と上部電極層１６４との間の界面１６３４Ｍにおいて光を反射させるようにしてもよい。この場合においても、反射面１６１ＢＭ，１６１ＧＭ，１６１ＲＭと界面１６３４Ｍとの間の光学的距離Ｄが上記した関係式１６を満たすことにより、図３および図４に示した場合と同様の効果を得ることができる。なお、図７および図８に示した青色有機ＥＬ素子１６Ｂ、緑色有機ＥＬ素子１６Ｇおよび赤色有機ＥＬ素子１６Ｒに関する上記以外の構成は、それぞれ図３および図４に示した場合と同様である。
【００９０】
また、本実施の形態では、図３および図４に示したように、青色有機ＥＬ素子１６Ｂ、緑色有機ＥＬ素子１６Ｇおよび赤色有機ＥＬ素子１６Ｒにおいて、有機層１６３が複数の発光層として４種類の発光層（青色発光層１６３２，緑色発光層１６３４，青色発光層１６３６，赤色発光層１６３８）を含み、それらの青色発光層１６３２、緑色発光層１６３４、青色発光層１６３６および赤色発光層１６３８が下部電極層１６１Ｂ，１６１Ｇ，１７１Ｒに近い側から順に積層されるようにしたが、必ずしもこれに限られるものではない。すなわち、有機層１６３に含まれる複数の発光層の層数および積層順は、青色有機ＥＬ素子１６Ｂ、緑色有機ＥＬ素子１６Ｇおよび赤色有機ＥＬ素子１６Ｒからそれぞれ青色光ＨＰＢ、緑色光ＨＰＧおよび赤色光ＨＰＲが放出される限り、自由に変更可能である。
【００９１】
具体的な一例を挙げれば、図３および図４にそれぞれ対応する図９および図１０に示したように、有機層１６３が複数の発光層として５種類の発光層（上記した青色発光層１６３２、緑色発光層１６３４、青色発光層１６３６および赤色発光層１６３８と共に青色発光層１６４０）と共に、それらの５種類の発光層を発光させるための複数の発光補助層（上記した発光補助層１６３１，１６３３，１６３５，１６３７，１６３９と共に発光補助層１６４１）を併せて含み、すなわち下部電極層１６１Ｂ，１６１Ｇ，１６１Ｒに近い側から順に、上記した発光補助層１６３１から発光補助層１６３９に至る一連の層、青色発光層１６４０および発光補助層１６４１が積層された積層構造を有するようにしてもよい。
【００９２】
青色発光層１６４０は、有機ＥＬ現象を利用して青色光ＨＢ３を発生させる発光層（第３の青色発光層）であり、例えば、青色発光層１６３２，１６３６と同様の電子輸送性材料により構成されている。なお、青色発光層１６４０の構成材料は、青色発光層１６３２，１６３６の構成材料と異なっていてもよい。発光補助層１６４１は、青色発光層１６４０に電子を供給するものであり、例えば、図３および図４に示した発光補助層１６３９と同様の機能および材質を有している。ここでは、発光補助層１６３９は、赤色発光層１６３８に電子を供給すると共に青色発光層１６４０に正孔を供給するものであり、例えば、図３および図４に示した発光補助層１６３３，１６３５，１６３７と同様の機能および材質を有している。
【００９３】
下部電極層１６１Ｂ，１６１Ｇ，１６１Ｒの反射面１６１ＢＭ，１６１ＧＭ，１６１ＲＭと青色発光層１６４０の発光面１６４０Ｍとの間の距離（光学的距離ＬＢ３）は、下記に示した関係式１７を満たしている。ここでは、例えば、関係式１７中の次数ｍＬＢ３が、ｍＬＢ３＝２である。この「発光面１６４０Ｍ」とは、青色発光層１６４０が青色発光層１６３２，１６３６と同様に電子輸送性発光材料により構成されていることに伴い、その青色発光層１６４０のうちの発光補助層１６３９に隣接する面である。
ＬＢ３＝（ｍＬＢ３−ΦＬＢ３／２π）λＬＢ３／２・・・関係式１７
（「ＬＢ３」は反射面１６１ＢＭ，１６１ＧＭ，１６１ＲＭと発光面１６４０Ｍとの間の距離（第１の光学的距離）、「ｍＬＢ３」は次数（０または整数）、「ΦＬＢ３」は青色発光層１６４０から発生した青色光ＨＢ３が反射面１６１ＢＭ，１６１ＧＭ，１６１ＲＭにおいて反射する際に生じる位相シフト、「λＬＢ３」は青色発光層１６４０から発生した青色光ＨＢ３が青色有機ＥＬ素子１６Ｂ、緑色有機ＥＬ素子１６Ｇおよび赤色有機ＥＬ素子１６Ｒから放出される際のスペクトルのピーク波長をそれぞれ表す。）
【００９４】
この光学的距離ＬＢ３および上記した他の光学的距離ＬＢ１，ＬＧ，ＬＢ２，ＬＲは、青色発光層１６３２、緑色発光層１６３４、青色発光層１６３６、赤色発光層１６３８および青色発光層１６４０のそれぞれから発生した青色光ＨＢ１、緑色光ＨＧ、青色光ＨＢ２、赤色光ＨＲおよび青色光ＨＢ３が下部電極層１６１Ｂ，１６１Ｇ，１６１Ｒの反射面１６１ＢＭ，１６１ＧＭ，１６１ＲＭにおいて反射されたのちに上部電極層１６４を経由することにより青色有機ＥＬ素子１６Ｂ、緑色有機ＥＬ素子１６Ｇおよび赤色有機ＥＬ素子１６Ｒの外部に放出される過程において、それらの青色光ＨＢ１、緑色光ＨＧ、青色光ＨＢ２、赤色光ＨＲおよび青色光ＨＢ３の光取り出し効率が光の干渉現象を利用して増加するように個別に設定されている。なお、この場合においても、光学的距離Ｄは上記した関係式１６を満たしている。ここでは、例えば、関係式１６中の次数ｍＤが、青色発光層１６４０に関してｍＤ＝２である。
【００９５】
この場合においても、有機層１６３が５種類の発光層（青色発光層１６３２，緑色発光層１６３４，青色発光層１６３６，赤色発光層１６３８，青色発光層１６４０）を含んでいると共に、光学的距離ＬＢ１，ＬＧ，ＬＢ２，ＬＲ，ＬＢ３が上記した関係式１１（関係式１２〜１５，１７）を満たしている点を除き、図３および図４に示した場合と同様の構成条件を満たしているため、その図３および図４に示した場合と同様の効果を得ることができる。なお、図９および図１０に示した青色有機ＥＬ素子１６Ｂ、緑色有機ＥＬ素子１６Ｇおよび赤色有機ＥＬ素子１６Ｒに関する上記以外の構成は、それぞれ図３および図４に示した場合と同様である。
【００９６】
もちろん、図９および図１０に示した場合においても、図５および図６を参照して説明した変形例または図７および図８を参照して説明した変形例を適用することが可能である。すなわち、図９および図１０にそれぞれ対応する図１１および図１２に示したように、高屈折率層として機能する上部電極層１６４（屈折率ｎＨ）と低屈折率層として機能する反射面規定層１６６（屈折率ｎＬ）との間の界面１６４６Ｍにおいて、屈折率の差異を利用して光を反射させるようにしてもよいし、あるいは図９および図１０にそれぞれ対応する図１３および図１４に示したように、高屈折率層として機能する発光補助層１６３９（屈折率ｎＨ）と低屈折率層として機能する上部電極層１６４（屈折率ｎＬ）との間の界面１６３４Ｍにおいて、屈折率の差異を利用して光を反射させるようにしてもよい。これらの場合においても、図９および図１０に示した場合と同様の効果を得ることができる。なお、図１１，図１３および図１２，図１４に示した青色有機ＥＬ素子１６Ｂ、緑色有機ＥＬ素子１６Ｇおよび赤色有機ＥＬ素子１６Ｒに関する上記以外の構成は、それぞれ図９および図１０に示した場合と同様である。
【００９７】
また、本実施の形態では、図３および図４に示したように、青色有機ＥＬ素子１６Ｂ、緑色有機ＥＬ素子１６Ｇおよび赤色有機ＥＬ素子１６Ｒにおいて、下部電極層１６１Ｂ，１６１Ｇ，１６１Ｒと有機層１６３との間の距離が青色有機ＥＬ素子１６Ｂおよび赤色有機ＥＬ素子１６Ｒよりも緑色有機ＥＬ素子１６Ｇにおいて大きくなるようにするために、緑色有機ＥＬ素子１６Ｇにおいて透明導電層１６２Ｇを設ける一方で、青色有機ＥＬ素子１６Ｂおよび赤色有機ＥＬ素子１６Ｒのいずれにおいても上記した透明導電層１６２Ｇに対応する透明導電層を設けないようにしたが、必ずしもこれに限られるものではない。具体的には、例えば、図４と共に、図３に対応する図１５に示したように、緑色有機ＥＬ素子１６Ｇにおいて下部電極層１６１Ｇと有機層１６３との間に透明導電層１６２Ｇ（厚さＴＧ）を設けた場合と同様に（図４参照）、青色有機ＥＬ素子１６Ｂにおいて下部電極層１６１Ｂと有機層１６３との間に透明導電層１６２Ｂ（厚さＴＢ）を設けると共に、赤色有機ＥＬ素子１６Ｒにおいて下部電極層１６１Ｒと有機層１６３との間に透明導電層１６２Ｒ（厚さＴＲ）を設けるようにしてもよい（図１５参照）。
【００９８】
これらの透明導電層１６２Ｂ，１６２Ｒは、例えば、透明導電層１６２Ｇと同様の材質を有している。特に、青色有機ＥＬ素子１６Ｂおよび赤色有機ＥＬ素子１６Ｒにそれぞれ透明導電層１６２Ｂ，１６２Ｒを設ける場合には、上記したように、下部電極層１６１Ｂ，１６１Ｇ，１６１Ｒと有機層１６３との間の距離が青色有機ＥＬ素子１６Ｂおよび赤色有機ＥＬ素子１６Ｒよりも緑色有機ＥＬ素子１６Ｇにおいて大きくなる関係を維持するために、透明導電層１６２Ｇの厚さＴＧが透明導電層１６２Ｂ，１６２Ｒの厚さＴＢ，ＴＲよりも大きくなるようにする（ＴＧ＞ＴＢ，ＴＲ）。この場合には、青色有機ＥＬ素子１６Ｂ、緑色有機ＥＬ素子１６Ｇおよび赤色有機ＥＬ素子１６Ｒにおいて、光学的距離ＬＢ１，ＬＧ，ＬＢ２，ＬＲがそれぞれ透明導電層１６２Ｂ，１６２Ｇ，１６２Ｒの厚さＴＢ，ＴＧ，ＴＲを加味して規定される。なお、透明導電層１６２Ｂ，１６２Ｒの厚さＴＢ，ＴＲの間の関係としては、例えば、互いに等しくてもよいし（ＴＢ＝ＴＲ）、あるいは互いに異なっていてもよい（ＴＢ≒ＴＲ、すなわちＴＢ＞ＴＲまたはＴＢ＜ＴＲ）。図１５では、例えば、透明導電層１６２Ｂの厚さＴＢと透明導電層１６２Ｒの厚さＴＲとが互いに等しい場合（ＴＢ＝ＴＲ）を示している。
【００９９】
この場合においても、青色有機ＥＬ素子１６Ｂおよび赤色有機ＥＬ素子１６Ｒにおいてそれぞれ透明導電層１６２Ｂ，１６２Ｒが設けられている点を除き、図３および図４に示した場合と同様の構成条件を満たしているため、その図３および図４に示した場合と同様の効果を得ることができる。なお、図１５に示した青色有機ＥＬ素子１６Ｂおよび赤色有機ＥＬ素子１６Ｒに関する上記以外の構成は、図３に示した場合と同様である。
【０１００】
もちろん、図１５に示した場合においても、図５および図６を参照して説明した変形例または図７および図８を参照して説明した変形例を適用することが可能である。すなわち、図１５に対応する図１６に示したように、高屈折率層として機能する上部電極層１６４（屈折率ｎＨ）と低屈折率層として機能する反射面規定層１６６（屈折率ｎＬ）との間の界面１６４６Ｍにおいて、屈折率の差異を利用して光を反射させるようにしてもよいし、あるいは図１５に対応する図１７に示したように、高屈折率層として機能する発光補助層１６３９（屈折率ｎＨ）と低屈折率層として機能する上部電極層１６４（屈折率ｎＬ）との間の界面１６３４Ｍにおいて、屈折率の差異を利用して光を反射させるようにしてもよい。これらの場合においても、図１５に示した場合と同様の効果を得ることができる。なお、図１６および図１７に示した青色有機ＥＬ素子１６Ｂおよび赤色有機ＥＬ素子１６Ｒに関する上記以外の構成は、図１５に示した場合と同様である。
【０１０１】
［第２の実施の形態］
次に、本発明の第２の実施の形態について説明する。
【０１０２】
図１８および図１９は、本実施の形態に係る有機発光装置に搭載される有機発光素子としての有機ＥＬ素子４６（青色有機ＥＬ素子４６Ｂ，緑色有機ＥＬ素子４６Ｇ，赤色有機ＥＬ素子４６Ｒ）の断面構成を詳細に表しており、それぞれ上記第１の実施の形態において示した図３および図４に対応する断面構成を示している。なお、図１８および図１９では、上記第１の実施の形態において説明した構成要素と同一の構成要素に同一の符号を付している。以下では、上記第１の実施の形態において既に説明した構成要素の機能や材質等に関する説明を随時省略する。
【０１０３】
本実施の形態に係る有機発光装置としての有機ＥＬディスプレイは、上記第１の実施の形態において説明した有機ＥＬ素子１６（青色有機ＥＬ素子１６Ｂ，緑色有機ＥＬ素子１６Ｇ，赤色有機ＥＬ素子１６Ｒ）に代えて、有機ＥＬ素子４６（青色有機ＥＬ素子４６Ｂ，緑色有機ＥＬ素子４６Ｇ，赤色有機ＥＬ素子４６Ｒ）を搭載している点を除き、その第１の実施の形態において説明した有機ＥＬディスプレイ１００（図１および図２参照）と同様の構造を有している。
【０１０４】
これらの青色有機ＥＬ素子４６Ｂ、緑色有機ＥＬ素子４６Ｇおよび赤色有機ＥＬ素子４６Ｒは、光共振器構造の反射面（第２の反射面）の構成が異なり、より具体的には相対的に高い屈折率ｎＨを有する反射面規定層１６５および相対的に低い屈折率ｎＬを有する反射面規定層１６６の積層順が異なる点を除き、上記第１の実施の形態において説明した青色有機ＥＬ素子１６Ｂ、緑色有機ＥＬ素子１６Ｇおよび赤色有機ＥＬ素子１６Ｒとそれぞれ同様の構造を有している。すなわち、青色有機ＥＬ素子４６Ｂは、例えば、平坦化絶縁層１５に近い側から順に、下部電極層１６１Ｂ、有機層１６３、上部電極層１６４および反射面規定層１６６，１６５が積層された積層構造を有している。緑色有機ＥＬ素子４６Ｇは、例えば、平坦化絶縁層１５に近い側から順に、下部電極層１６１Ｇ、透明導電層１６２Ｇ、有機層１６３、上部電極層１６４および反射面規定層１６６，１６５が積層された積層構造を有している。赤色有機ＥＬ素子４６Ｒは、例えば、平坦化絶縁層１５に近い側から順に、下部電極層１６１Ｒ、有機層１６３、上部電極層１６４および反射面規定層１６６，１６５が積層された積層構造を有している。
【０１０５】
この場合には、下部電極層１６１Ｂ，１６１Ｇ，１６１Ｒの反射面１６１ＢＭ，１６１ＧＭ，１６１ＲＭと、それらの下部電極層１６１Ｂ，１６１Ｇ，１６１Ｒに近い側から順に積層された反射面規定層１６６，１６５の間の界面１６６５Ｍとの間の距離（光学的距離Ｄ）が、上記した関係式１６を満たしている。
【０１０６】
本実施の形態に係る有機ＥＬディスプレイでは、青色有機ＥＬ素子４６Ｂ、緑色有機ＥＬ素子４６Ｇおよび赤色有機ＥＬ素子４６Ｒにおいて、下部電極層１６１Ｂ，１６１Ｇ，１６１Ｒと上部電極層１６４との間に設けられた有機層１６３が、複数の発光層（青色発光層１６３２，緑色発光層１６３４，青色発光層１６３６，赤色発光層１６３８）が積層された積層構造を有しており、特に、反射面１６１ＢＭ，１６１ＧＭ，１６１ＲＭと界面１６６５Ｍとの間の距離（光学的距離Ｄ）が上記した関係式１６を満たしている点を除き、上記第１の実施の形態において説明した３つの構成条件を満たしている。したがって、この場合においても、上記第１の実施の形態と同様の作用が得られ、すなわち青色光ＨＰＢ、緑色光ＨＰＧおよび赤色光ＨＰＲの強度および色純度の観点において青色有機ＥＬ素子４６Ｂ、緑色有機ＥＬ素子４６Ｇおよび赤色有機ＥＬ素子４６Ｒの発光性能が向上するため、表示性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、表示性能を可能な限り向上させることができる。
【０１０７】
上記した他、本実施の形態に係る有機ＥＬ素子４６（青色有機ＥＬ素子４６Ｂ，緑色有機ＥＬ素子４６Ｇ，赤色有機ＥＬ素子４６Ｒ）では、下部電極層１６１Ｂ，１６１Ｇ，１６１Ｒと上部電極層１６４との間に、複数の発光層（青色発光層１６３２，緑色発光層１６３４，青色発光層１６３６，赤色発光層１６３８）が積層された積層構造を有する有機層１６３が設けられており、特に、下部電極層１６１Ｂ，１６１Ｇ，１６１Ｒの反射面１６１ＢＭ，１６１ＧＭ，１６１ＲＭと反射面規定層１６６，１６５の間の界面１６６５Ｍとの間の距離（光学的距離Ｄ）が上記した関係式１６を満たしている点を除き、上記第１の実施の形態において説明した３つの構成条件を満たしているので、その第１の実施の形態と同様の作用により、青色光ＨＰＢ、緑色光ＨＰＧおよび赤色光ＨＰＲの強度が増強されると共に色純度が向上する。したがって、発光性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、発光性能を可能な限り向上させることができる。
【０１０８】
なお、本実施の形態では、図１８および図１９に示したように、青色有機ＥＬ素子４６Ｂ、緑色有機ＥＬ素子４６Ｇおよび赤色有機ＥＬ素子４６Ｒにおいて、光共振器構造のうちの反射面（第２の反射面）を構成するために、上部電極層１６４上に、相対的に低い屈折率ｎＬを有する反射面規定層１６６および相対的に高い屈折率ｎＨを有する反射面規定層１６５をこの順に設けることにより、それらの反射面規定層１６６，１６５の間の界面１６６５Ｍにおいて光を反射させるようにしたが、必ずしもこれに限られるものではない。すなわち、青色有機ＥＬ素子４６Ｂ、緑色有機ＥＬ素子４６Ｇおよび赤色有機ＥＬ素子４６Ｒの構成は、屈折率の差異を利用して光共振器構造のうちの反射面（第２の反射面）を構成し得る限り、自由に変更可能である。
【０１０９】
具体的な一例を挙げれば、図１８および図１９にそれぞれ対応する図２０および図２１に示したように、上部電極層１６４が相対的に低い屈折率ｎＬを有することにより低屈折率層として機能する場合には、その上部電極層１６４上に反射面規定層１６６（屈折率ｎＬ）を設けずに反射面規定層１６５（屈折率ｎＨ）のみを設けることにより、屈折率の差異を利用して上部電極層１６４（屈折率ｎＬ）と反射面規定層１６５（屈折率ｎＨ）との間の界面１６４５Ｍにおいて光を反射させるようにしてもよい。この場合においても、反射面１６１ＢＭ，１６１ＧＭ，１６１ＲＭと界面１６４５Ｍとの間の光学的距離Ｄが上記した関係式１６を満たすことにより、図１８および図１９に示した場合と同様の効果を得ることができる。なお、図２０および図２１に示した青色有機ＥＬ素子４６Ｂ、緑色有機ＥＬ素子４６Ｇおよび赤色有機ＥＬ素子４６Ｒに関する上記以外の構成は、それぞれ図１８および図１９に示した場合と同様である。
【０１１０】
また、他の例として、図１８および図１９にそれぞれ対応する図２２および図２３に示したように、有機層１６３のうちの発光補助層１６３９が相対的に低い屈折率ｎＬを有することにより低屈折率層として機能すると共に、上部電極層１６４が相対的に高い屈折率ｎＨを有することにより高屈折率層として機能する場合には、その上部電極層１６４上に反射面規定層１６６，１６５を設けないことにより、屈折率の差異を利用して発光補助層１６３９（屈折率ｎＬ）と上部電極層１６４（屈折率ｎＨ）との間の界面１６３４Ｍにおいて光を反射させるようにしてもよい。この場合における上部電極層１６４の構成材料としては、例えば、酸化亜鉛または酸化錫などの高屈折率を有する透明導電材料などが挙げられる。この場合においても、反射面１６１ＢＭ，１６１ＧＭ，１６１ＲＭと界面１６３４Ｍとの間の光学的距離Ｄが上記した関係式１６を満たすことにより、図１８および図１９に示した場合と同様の効果を得ることができる。なお、図２２および図２３に示した青色有機ＥＬ素子４６Ｂ、緑色有機ＥＬ素子４６Ｇおよび赤色有機ＥＬ素子４６Ｒに関する上記以外の構成は、それぞれ図１８および図１９に示した場合と同様である。
【０１１１】
また、本実施の形態では、図１８および図１９に示したように、青色有機ＥＬ素子４６Ｂ、緑色有機ＥＬ素子４６Ｇおよび赤色有機ＥＬ素子４６Ｒにおいて、有機層１６３が複数の発光層として４種類の発光層（青色発光層１６３２，緑色発光層１６３４，青色発光層１６３６，赤色発光層１６３８）を含み、それらの青色発光層１６３２、緑色発光層１６３４、青色発光層１６３６および赤色発光層１６３８が下部電極層１６１Ｂ，１６１Ｇ，１７１Ｒに近い側から順に積層されるようにしたが、必ずしもこれに限られるものではない。すなわち、有機層１６３に含まれる複数の発光層の層数および積層順は、青色有機ＥＬ素子４６Ｂ、緑色有機ＥＬ素子４６Ｇおよび赤色有機ＥＬ素子４６Ｒからそれぞれ青色光ＨＰＢ、緑色光ＨＰＧおよび赤色光ＨＰＲが放出される限り、自由に変更可能である。
【０１１２】
具体的な一例を挙げれば、上記第１の実施の形態において図９および図１０を参照して説明した変形例を適用することにより、図１８および図１９にそれぞれ対応する図２４および図２５に示したように、有機層１６３が複数の発光層として５種類の発光層（青色発光層１６３２，緑色発光層１６３４，青色発光層１６３６，赤色発光層１６３８，青色発光層１６４０）と共に、それらの５種類の発光層を発光させるための複数の発光補助層（発光補助層１６３１，１６３３，１６３５，１６３７，１６３９，１６４１）を併せて含むようにしてもよい。この場合においても、有機層１６３が５種類の発光層（青色発光層１６３２，緑色発光層１６３４，青色発光層１６３６，赤色発光層１６３８，青色発光層１６４０）を含んでいると共に、光学的距離ＬＢ１，ＬＧ，ＬＢ２，ＬＲ，ＬＢ３が上記した関係式１１（関係式１２〜１５，１７）を満たしている点を除き、図１８および図１９に示した場合と同様の構成条件を満たしているため、その図１８および図１９に示した場合と同様の効果を得ることができる。なお、図２４および図２５に示した青色有機ＥＬ素子４６Ｂ、緑色有機ＥＬ素子４６Ｇおよび赤色有機ＥＬ素子４６Ｒに関する上記以外の構成は、それぞれ図１８および図１９に示した場合と同様である。
【０１１３】
もちろん、図２４および図２５に示した場合においても、図２０および図２１を参照して説明した変形例または図２２および図２３を参照して説明した変形例を適用することが可能である。すなわち、図２４および図２５にそれぞれ対応する図２６および図２７に示したように、低屈折率層として機能する上部電極層１６４（屈折率ｎＬ）と高屈折率層として機能する反射面規定層１６５（屈折率ｎＨ）との間の界面１６４５Ｍにおいて、屈折率の差異を利用して光を反射させるようにしてもよいし、あるいは図２４および図２５にそれぞれ対応する図２８および図２９に示したように、低屈折率層として機能する発光補助層１６３９（屈折率ｎＬ）と高屈折率層として機能する上部電極層１６４（屈折率ｎＨ）との間の界面１６３４Ｍにおいて、屈折率の差異を利用して光を反射させるようにしてもよい。これらの場合においても、図２４および図２５に示した場合と同様の効果を得ることができる。なお、図２６，図２８および図２７，図２９に示した青色有機ＥＬ素子４６Ｂ、緑色有機ＥＬ素子４６Ｇおよび赤色有機ＥＬ素子４６Ｒに関する上記以外の構成は、それぞれ図２４および図２５に示した場合と同様である。
【０１１４】
また、本実施の形態では、図１８および図１９に示したように、青色有機ＥＬ素子４６Ｂ、緑色有機ＥＬ素子４６Ｇおよび赤色有機ＥＬ素子４６Ｒにおいて、下部電極層１６１Ｂ，１６１Ｇ，１６１Ｒと有機層１６３との間の距離が青色有機ＥＬ素子４６Ｂおよび赤色有機ＥＬ素子４６Ｒよりも緑色有機ＥＬ素子４６Ｇにおいて大きくなるようにするために、緑色有機ＥＬ素子４６Ｇにおいて透明導電層１６２Ｇを設ける一方で、青色有機ＥＬ素子４６Ｂおよび赤色有機ＥＬ素子４６Ｒのいずれにおいても上記した透明導電層１６２Ｇに対応する透明導電層を設けないようにしたが、必ずしもこれに限られるものではない。具体的には、例えば、上記第１の実施の形態において図１５を参照して説明した変形例を適用することにより、図１９と共に、図１８に対応する図３０に示したように、緑色有機ＥＬ素子４６Ｇにおいて下部電極層１６１Ｇと有機層１６３との間に透明導電層１６２Ｇ（厚さＴＧ）を設けた場合と同様に（図１９参照）、青色有機ＥＬ素子４６Ｂにおいて下部電極層１６１Ｂと有機層１６３との間に透明導電層１６２Ｂ（厚さＴＢ）を設けると共に、赤色有機ＥＬ素子４６Ｒにおいて下部電極層１６１Ｒと有機層１６３との間に透明導電層１６２Ｒ（厚さＴＲ）を設けるようにしてもよい（図３０参照）。この場合においても、青色有機ＥＬ素子４６Ｂおよび赤色有機ＥＬ素子４６Ｒにおいてそれぞれ透明導電層１６２Ｂ，１６２Ｒが設けられている点を除き、図１８および図１９に示した場合と同様の構成条件を満たしているため、その図１８および図１９に示した場合と同様の効果を得ることができる。なお、図３０に示した青色有機ＥＬ素子４６Ｂおよび赤色有機ＥＬ素子４６Ｒに関する上記以外の構成は、図１８に示した場合と同様である。
【０１１５】
もちろん、図３０に示した場合においても、図２０および図２１を参照して説明した変形例または図２２および図２３を参照して説明した変形例を適用することが可能である。すなわち、図３０に対応する図３１に示したように、低屈折率層として機能する上部電極層１６４（屈折率ｎＬ）と高屈折率層として機能する反射面規定層１６５（屈折率ｎＨ）との間の界面１６４５Ｍにおいて、屈折率の差異を利用して光を反射させるようにしてもよいし、あるいは図３０に対応する図３２に示したように、低屈折率層として機能する発光補助層１６３９（屈折率ｎＬ）と高屈折率層として機能する上部電極層１６４（屈折率ｎＨ）との間の界面１６３４Ｍにおいて、屈折率の差異を利用して光を反射させるようにしてもよい。これらの場合においても、図３０に示した場合と同様の効果を得ることができる。なお、図３１および図３２に示した青色有機ＥＬ素子４６Ｂおよび赤色有機ＥＬ素子４６Ｒに関する上記以外の構成は、図３０に示した場合と同様である。
【０１１６】
［第３の実施の形態］
次に、本発明の第３の実施の形態について説明する。
【０１１７】
図３３および図３４は、本実施の形態に係る有機発光装置に搭載される有機発光素子としての有機ＥＬ素子５６（青色有機ＥＬ素子５６Ｂ，緑色有機ＥＬ素子５６Ｇ，赤色有機ＥＬ素子５６Ｒ）の断面構成を詳細に表しており、それぞれ上記第１の実施の形態において示した図３および図４に対応する断面構成を示している。なお、図３３および図３４では、上記第１の実施の形態において説明した構成要素と同一の構成要素に同一の符号を付している。以下では、上記第１の実施の形態において既に説明した構成要素の機能や材質等に関する説明を随時省略する。
【０１１８】
本実施の形態に係る有機発光装置としての有機ＥＬディスプレイは、上記第１の実施の形態において説明した有機ＥＬ素子１６（青色有機ＥＬ素子１６Ｂ，緑色有機ＥＬ素子１６Ｇ，赤色有機ＥＬ素子１６Ｒ）に代えて、有機ＥＬ素子５６（青色有機ＥＬ素子５６Ｂ，緑色有機ＥＬ素子５６Ｇ，赤色有機ＥＬ素子５６Ｒ）を搭載している点を除き、その第１の実施の形態において説明した有機ＥＬディスプレイ１００（図１および図２参照）と同様の構造を有している。
【０１１９】
これらの青色有機ＥＬ素子５６Ｂ、緑色有機ＥＬ素子５６Ｇおよび赤色有機ＥＬ素子５６Ｒは、光共振器構造の反射面（第２の反射面）の構成および数が異なり、より具体的には複数の反射面（第２の反射面）を有する点を除き、上記第１の実施の形態において説明した青色有機ＥＬ素子１６Ｂ、緑色有機ＥＬ素子１６Ｇおよび赤色有機ＥＬ素子１６Ｒとそれぞれ同様の構造を有している。ここでは、例えば、青色有機ＥＬ素子５６Ｂ、緑色有機ＥＬ素子５６Ｇおよび赤色有機ＥＬ素子５６Ｒにおいて、上部電極層１６４上に、相対的に高い屈折率ｎＨを有する反射面規定層１６５が設けられておらずに、相対的に低い屈折率ｎＬを有する反射面規定層１６６のみが設けられていると共に、有機層１６３のうちの発光補助層１６３９が相対的に低い屈折率ｎＬを有することにより低屈折率層として機能し、かつ上部電極層１６４が相対的に高い屈折率ｎＨを有することにより高屈折率層として機能することにより、２つの反射面（第２の反射面）を有している。この場合の「２つの反射面（第２の反射面）」とは、発光補助層１６３９（屈折率ｎＬ）と上部電極層１６４（屈折率ｎＨ）との間の界面１６３４Ｍおよび上部電極層１６４（屈折率ｎＨ）と反射面規定層１６６（屈折率ｎＬ）との間の界面１６４６Ｍである。
【０１２０】
すなわち、青色有機ＥＬ素子５６Ｂは、例えば、平坦化絶縁層１５に近い側から順に、下部電極層１６１Ｂ、有機層１６３、上部電極層１６４および反射面規定層１６６が積層された積層構造を有している。緑色有機ＥＬ素子５６Ｇは、例えば、平坦化絶縁層１５に近い側から順に、下部電極層１６１Ｇ、透明導電層１６２Ｇ、有機層１６３、上部電極層１６４および反射面規定層１６６が積層された積層構造を有している。赤色有機ＥＬ素子５６Ｒは、例えば、平坦化絶縁層１５に近い側から順に、下部電極層１６１Ｒ、有機層１６３、上部電極層１６４および反射面規定層１６６が積層された積層構造を有している。この場合における上部電極層１６４の構成材料としては、例えば、酸化亜鉛または酸化錫などの高屈折率を有する透明導電材料などが挙げられる。
【０１２１】
この場合には、下部電極層１６１Ｂ，１６１Ｇ，１６１Ｒの反射面１６１ＢＭ，１６１ＧＭ，１６１ＲＭと、発光補助層１６３９と上部電極層１６４との間の界面１６３４Ｍとの間の距離が、上記した関係式１６を満たしていると共に、それらの反射面１６１ＢＭ，１６１ＧＭ，１６１ＲＭと、上部電極層１６４と反射面規定層１６６との間の界面１６４６Ｍとの間の界面１６４６Ｍとの間の距離も、上記した関係式１６を満たしている。
【０１２２】
より具体的には、反射面１６１ＢＭ，１６１ＧＭ，１６１ＲＭと界面１６３４Ｍとの間の距離は、下記に示した関係式１８を満たしている。
Ｄ１＝（ｍＤ１−ΦＤ１／２π）λＤ１／２・・・関係式１８
（「Ｄ１」は反射面１６１ＢＭ，１６１ＧＭ，１６１ＲＭと反射面１６３４Ｍとの間の距離（第１の光学的距離）、「ｍＤ１」は次数（０または整数）、「ΦＤ１」は複数の発光層から発生した光が反射面１６１ＢＭ，１６１ＧＭ，１６１ＲＭおよび反射面１６３４Ｍにおいて反射する際に生じる位相シフト、「λＬ１」は複数の発光層から発生した光が青色有機ＥＬ素子５６Ｂ、緑色有機ＥＬ素子５６Ｇおよび赤色有機ＥＬ素子５６Ｒから放出される際のスペクトルのピーク波長をそれぞれ表す。）
【０１２３】
また、反射面１６１ＢＭ，１６１ＧＭ，１６１ＲＭと界面１６４６Ｍとの間の距離は、下記に示した関係式１９を満たしている。
Ｄ２＝（ｍＤ２−ΦＤ２／２π）λＤ２／２・・・関係式１９
（「Ｄ２」は反射面１６１ＢＭ，１６１ＧＭ，１６１ＲＭと反射面１６４６Ｍとの間の距離（第１の光学的距離）、「ｍＤ２」は次数（０または整数）、「ΦＤ２」は複数の発光層から発生した光が反射面１６１ＢＭ，１６１ＧＭ，１６１ＲＭおよび反射面１６４６Ｍにおいて反射する際に生じる位相シフト、「λＬ２」は複数の発光層から発生した光が青色有機ＥＬ素子５６Ｂ、緑色有機ＥＬ素子５６Ｇおよび赤色有機ＥＬ素子５６Ｒから放出される際のスペクトルのピーク波長をそれぞれ表す。）
【０１２４】
これらの光学的距離Ｄ１，Ｄ２は、青色有機ＥＬ素子５６Ｂ、緑色有機ＥＬ素子５６Ｇおよび赤色有機ＥＬ素子５６Ｒのそれぞれから青色光ＨＰＢ、緑色光ＨＰＧおよび赤色光ＨＰＲが放出される過程において、それらの青色光ＨＰＢ、緑色光ＨＰＧおよび赤色光ＨＰＲの色純度が光共振器構造の光共振現象を利用して増強されるように設定されている。
【０１２５】
本実施の形態に係る有機ＥＬディスプレイでは、青色有機ＥＬ素子５６Ｂ、緑色有機ＥＬ素子５６Ｇおよび赤色有機ＥＬ素子５６Ｒにおいて、下部電極層１６１Ｂ，１６１Ｇ，１６１Ｒと上部電極層１６４との間に設けられた有機層１６３が、複数の発光層（青色発光層１６３２，緑色発光層１６３４，青色発光層１６３６，赤色発光層１６３８）が積層された積層構造を有しており、特に、反射面１６１ＢＭ，１６１ＧＭ，１６１ＲＭと界面１６３４Ｍとの間の距離（光学的距離Ｄ１）が上記した関係式１８を満たしていると共に、反射面１６１ＢＭ，１６１ＧＭ，１６１ＲＭと界面１６４６Ｍとの間の距離（光学的距離Ｄ２）が上記した関係式１９を満たしている点を除き、上記第１の実施の形態において説明した３つの構成条件を満たしている。したがって、この場合においても、上記第１の実施の形態と同様の作用が得られ、すなわち青色光ＨＰＢ、緑色光ＨＰＧおよび赤色光ＨＰＲの強度および色純度の観点において青色有機ＥＬ素子５６Ｂ、緑色有機ＥＬ素子５６Ｇおよび赤色有機ＥＬ素子５６Ｒの発光性能が向上するため、表示性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、表示性能を可能な限り向上させることができる。
【０１２６】
特に、本実施の形態では、反射面（第２の反射面）として２つの界面１６３４Ｍ，１６４６Ｍを有するため、その反射面（第２の反射面）を１つのみ有する上記第１の実施の形態および第２の実施の形態と比較して、光共振器構造の光共振作用が増強される。したがって、青色光ＨＰＢ、緑色光ＨＰＧおよび赤色光ＨＰＲの色純度をより向上させることができる。
【０１２７】
上記した他、本実施の形態に係る有機ＥＬ素子５６（青色有機ＥＬ素子５６Ｂ，緑色有機ＥＬ素子５６Ｇ，赤色有機ＥＬ素子５６Ｒ）では、下部電極層１６１Ｂ，１６１Ｇ，１６１Ｒと上部電極層１６４との間に、複数の発光層（青色発光層１６３２，緑色発光層１６３４，青色発光層１６３６，赤色発光層１６３８）が積層された積層構造を有する有機層１６３が設けられており、特に、反射面１６１ＢＭ，１６１ＧＭ，１６１ＲＭと界面１６３４Ｍとの間の距離（光学的距離Ｄ１）が上記した関係式１８を満たしていると共に、反射面１６１ＢＭ，１６１ＧＭ，１６１ＲＭと界面１６４６Ｍとの間の距離（光学的距離Ｄ２）が上記した関係式１９を満たしている点を除き、上記第１の実施の形態において説明した３つの構成条件を満たしているので、その第１の実施の形態と同様の作用により、青色光ＨＰＢ、緑色光ＨＰＧおよび赤色光ＨＰＲの強度が増強されると共に色純度が向上する。したがって、発光性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、発光性能を可能な限り向上させることができる。
【０１２８】
なお、本実施の形態では、図３３および図３４に示したように、青色有機ＥＬ素子５６Ｂ、緑色有機ＥＬ素子５６Ｇおよび赤色有機ＥＬ素子５６Ｒにおいて、光共振器構造のうちの２つの反射面（第２の反射面）を構成するために、上部電極層１６４上に相対的に低い屈折率ｎＬを有する反射面規定層１６６のみを設けると共に、発光補助層１６３９が相対的に低い屈折率ｎＬを有し、かつ上部電極層１６４が相対的に高い屈折率ｎＨを有することにより、発光補助層１６３９と上部電極層１６４との間の界面１６３４Ｍおよび上部電極層１６４と反射面規定層１６６との間の界面１６４６Ｍにおいて光を反射させるようにしたが、必ずしもこれに限られるものではない。すなわち、青色有機ＥＬ素子５６Ｂ、緑色有機ＥＬ素子５６Ｇおよび赤色有機ＥＬ素子５６Ｒの構成は、屈折率の差異を利用して光共振器構造のうちの反射面（第２の反射面）を２つ構成し得る限り、自由に変更可能である。
【０１２９】
具体的な一例を挙げれば、図３３および図３４にそれぞれ対応する図３５および図３６に示したように、上部電極層１６４上に、相対的に低い屈折率ｎＬを有する反射面規定層１６６に代えて、相対的に高い屈折率ｎＨを有する反射面規定層１６５を設けると共に、有機層１６３のうちの発光補助層１６３９が相対的に高い屈折率ｎＨを有することにより高屈折率層として機能し、かつ上部電極層１６４が相対的に低い屈折率ｎＬを有することにより低屈折率層として機能することにより、２つの反射面（第２の反射面）を有するようにしてもよい。この場合の「２つの反射面（第２の反射面）」とは、発光補助層１６３９（屈折率ｎＨ）と上部電極層１６４（屈折率ｎＬ）との間の界面１６３４Ｍおよび上部電極層１６４（屈折率ｎＬ）と反射面規定層１６６（屈折率ｎＬ）との間の界面１６４６Ｍであり、すなわち界面１６３４Ｍ，１６４６Ｍにおいて光が反射される。この場合における上部電極層１６４の構成材料としては、例えば、酸化亜鉛または酸化錫などの高屈折率を有する透明導電材料などが挙げられる。この場合においても、反射面１６１ＢＭ，１６１ＧＭ，１６１ＲＭと反射面１６３４Ｍとの間の光学的距離Ｄ１が上記した関係式１８を満たすと共に、反射面１６１ＢＭ，１６１ＧＭ，１６１ＲＭと反射面１６４６Ｍとの間の光学的距離Ｄ２が上記した関係式１９を満たすことにより、図３３および図３４に示した場合と同様の効果を得ることができる。なお、図３５および図３６に示した青色有機ＥＬ素子５６Ｂ、緑色有機ＥＬ素子５６Ｇおよび赤色有機ＥＬ素子５６Ｒに関する上記以外の構成は、それぞれ図３３および図３４に示した場合と同様である。
【０１３０】
また、本実施の形態では、図３３および図３４に示したように、青色有機ＥＬ素子５６Ｂ、緑色有機ＥＬ素子５６Ｇおよび赤色有機ＥＬ素子５６Ｒにおいて、有機層１６３が複数の発光層として４種類の発光層（青色発光層１６３２，緑色発光層１６３４，青色発光層１６３６，赤色発光層１６３８）を含み、それらの青色発光層１６３２、緑色発光層１６３４、青色発光層１６３６および赤色発光層１６３８が下部電極層１６１Ｂ，１６１Ｇ，１７１Ｒに近い側から順に積層されるようにしたが、必ずしもこれに限られるものではない。すなわち、有機層１６３に含まれる複数の発光層の層数および積層順は、青色有機ＥＬ素子５６Ｂ、緑色有機ＥＬ素子５６Ｇおよび赤色有機ＥＬ素子５６Ｒからそれぞれ青色光ＨＰＢ、緑色光ＨＰＧおよび赤色光ＨＰＲが放出される限り、自由に変更可能である。
【０１３１】
具体的な一例を挙げれば、上記第１の実施の形態において図９および図１０を参照して説明した変形例を適用することにより、図３３および図３４にそれぞれ対応する図３７および図３８に示したように、有機層１６３が複数の発光層として５種類の発光層（青色発光層１６３２，緑色発光層１６３４，青色発光層１６３６，赤色発光層１６３８，青色発光層１６４０）と共に、それらの５種類の発光層を発光させるための複数の発光補助層（発光補助層１６３１，１６３３，１６３５，１６３７，１６３９，１６４１）を併せて含むようにしてもよい。この場合においても、有機層１６３が５種類の発光層（青色発光層１６３２，緑色発光層１６３４，青色発光層１６３６，赤色発光層１６３８，青色発光層１６４０）を含んでいると共に、光学的距離ＬＢ１，ＬＧ，ＬＢ２，ＬＲ，ＬＢ３が上記した関係式１１（関係式１２〜１５，１７）を満たしている点を除き、図３３および図３４に示した場合と同様の構成条件を満たしているため、その図３３および図３４に示した場合と同様の効果を得ることができる。なお、図３７および図３８に示した青色有機ＥＬ素子５６Ｂ、緑色有機ＥＬ素子５６Ｇおよび赤色有機ＥＬ素子５６Ｒに関する上記以外の構成は、それぞれ図３３および図３４に示した場合と同様である。
【０１３２】
もちろん、図３７および図３８に示した場合においても、図３５および図３６を参照して説明した変形例を適用することが可能である。すなわち、図３７および図３８にそれぞれ対応する図３９および図４０に示したように、高屈折率層として機能する発光補助層１６３９（屈折率ｎＨ）と低屈折率層として機能する上部電極層１６４（屈折率ｎＬ）との間の界面１６３４Ｍにおいて、屈折率の差異を利用して光を反射させると共に、その低屈折率層として機能する上部電極層１６４（屈折率ｎＬ）と高屈折率層として機能する反射面規定層１６５（屈折率ｎＨ）との間の界面１６４５Ｍにおいて、屈折率の差異を利用して光を反射させるようにしてもよい。この場合においても、図３５および図３６に示した場合と同様の効果を得ることができる。なお、図３９および図４０に示した青色有機ＥＬ素子５６Ｂ、緑色有機ＥＬ素子５６Ｇおよび赤色有機ＥＬ素子５６Ｒに関する上記以外の構成は、それぞれ図３５および図３６に示した場合と同様である。
【０１３３】
また、本実施の形態では、図３３および図３４に示したように、青色有機ＥＬ素子５６Ｂ、緑色有機ＥＬ素子５６Ｇおよび赤色有機ＥＬ素子５６Ｒにおいて、下部電極層１６１Ｂ，１６１Ｇ，１６１Ｒと有機層１６３との間の距離が青色有機ＥＬ素子５６Ｂおよび赤色有機ＥＬ素子５６Ｒよりも緑色有機ＥＬ素子５６Ｇにおいて大きくなるようにするために、緑色有機ＥＬ素子５６Ｇにおいて透明導電層１６２Ｇを設ける一方で、青色有機ＥＬ素子５６Ｂおよび赤色有機ＥＬ素子５６Ｒのいずれにおいても上記した透明導電層１６２Ｇに対応する透明導電層を設けないようにしたが、必ずしもこれに限られるものではない。具体的には、例えば、上記第１の実施の形態において図１５を参照して説明した変形例を適用することにより、図３４と共に、図３３に対応する図４１に示したように、緑色有機ＥＬ素子５６Ｇにおいて下部電極層１６１Ｇと有機層１６３との間に透明導電層１６２Ｇ（厚さＴＧ）を設けた場合と同様に（図３４参照）、青色有機ＥＬ素子５６Ｂにおいて下部電極層１６１Ｂと有機層１６３との間に透明導電層１６２Ｂ（厚さＴＢ）を設けると共に、赤色有機ＥＬ素子５６Ｒにおいて下部電極層１６１Ｒと有機層１６３との間に透明導電層１６２Ｒ（厚さＴＲ）を設けるようにしてもよい（図４１参照）。この場合においても、青色有機ＥＬ素子５６Ｂおよび赤色有機ＥＬ素子５６Ｒにおいてそれぞれ透明導電層１６２Ｂ，１６２Ｒが設けられている点を除き、図３３および図３４に示した場合と同様の構成条件を満たしているため、その図３３および図３４に示した場合と同様の効果を得ることができる。なお、図４１に示した青色有機ＥＬ素子５６Ｂおよび赤色有機ＥＬ素子５６Ｒに関する上記以外の構成は、図３３に示した場合と同様である。
【０１３４】
もちろん、図４１に示した場合においても、図３５および図３６を参照して説明した変形例を適用することが可能である。すなわち、図４１に対応する図４２に示したように、高屈折率層として機能する発光補助層１６３９（屈折率ｎＨ）と低屈折率層として機能する上部電極層１６４（屈折率ｎＬ）との間の界面１６３４Ｍにおいて、屈折率の差異を利用して光を反射させると共に、その低屈折率層として機能する上部電極層１６４（屈折率ｎＬ）と高屈折率層として機能する反射面規定層１６５（屈折率ｎＨ）との間の界面１６４５Ｍにおいて、屈折率の差異を利用して光を反射させるようにしてもよい。これらの場合においても、図４１に示した場合と同様の効果を得ることができる。なお、図４２に示した青色有機ＥＬ素子５６Ｂおよび赤色有機ＥＬ素子５６Ｒに関する上記以外の構成は、図４１に示した場合と同様である。
【０１３５】
また、本実施の形態では、図３３および図３４を例示して示したように、青色有機ＥＬ素子５６Ｂ、緑色有機ＥＬ素子５６Ｇおよび赤色有機ＥＬ素子５６Ｒにおいて、光共振器構造の反射面（第２の反射面）を有するようにしたが、必ずしもこれに限られるものではなく、高屈折率層（屈折率ｎＨ）として機能する層と低屈折率層（屈折率ｎＬ）として機能する層との間の屈折率の差異を利用して光を反射可能となるように反射面（第２の反射面）を構成する限り、その反射面（第２の反射面）の数は自由に設定可能である。ただし、（１）反射面（第２の反射面）の数が増えるほど、有機ＥＬディスプレイの製造コストが増すこと、（２）反射面（第２の反射面）が２つあれば、光共振器構造において十分な光共振作用が得られること、（３）反射面（第２の反射面）が３つ以上ある場合には、上記した関係式１６中の次数ｍＤが大きくなりすぎることに起因して半値幅が狭くなりすぎるため、膜厚のばらつきや視野角に応じて色ずれが著しく大きくなることを考慮すれば、反射面（第２の反射面）の数は２つが好ましい。
【０１３６】
［第４の実施の形態］
次に、本発明の第４の実施の形態について説明する。
【０１３７】
図４３および図４４は、本実施の形態に係る有機発光装置に搭載される有機発光素子としての有機ＥＬ素子６６（青色有機ＥＬ素子６６Ｂ，緑色有機ＥＬ素子６６Ｇ，赤色有機ＥＬ素子６６Ｒ）の断面構成を詳細に表しており、それぞれ上記第１の実施の形態において示した図３および図４に対応する断面構成を示している。なお、図４３および図４４では、上記第１の実施の形態において説明した構成要素と同一の構成要素に同一の符号を付している。以下では、上記第１の実施の形態において既に説明した構成要素の機能や材質等に関する説明を随時省略する。
【０１３８】
本実施の形態に係る有機ＥＬディスプレイは、上記第１の実施の形態において説明した有機ＥＬ素子１６（青色有機ＥＬ素子１６Ｂ，緑色有機ＥＬ素子１６Ｇ，赤色有機ＥＬ素子１６Ｒ）に代えて、有機ＥＬ素子６６（青色有機ＥＬ素子６６Ｂ，緑色有機ＥＬ素子６６Ｇ，赤色有機ＥＬ素子６６Ｒ）を搭載している点を除き、その第１の実施の形態において説明した有機ＥＬディスプレイ１００（図１および図２参照）と同様の構造を有している。
【０１３９】
これらの青色有機ＥＬ素子６６Ｂ、緑色有機ＥＬ素子６６Ｇおよび赤色有機ＥＬ素子６６Ｒは、光共振器構造の反射面（第２の反射面）の構成が異なり、より具体的には上部電極層１６４上に、相対的に高い屈折率ｎＨを有する反射面規定層１６５および相対的に低い屈折率ｎＬを有する反射面規定層１６６の双方が設けられていない点を除き、上記第１の実施の形態において説明した青色有機ＥＬ素子１６Ｂ、緑色有機ＥＬ素子１６Ｇおよび赤色有機ＥＬ素子１６Ｒとそれぞれ同様の構造を有している。この場合における上部電極層１６４は、例えば、光共振器構造の反射面（第２の反射面）を構成することが可能であり、すなわち必要に応じて光を十分に反射させることが可能な反射率を有する光半透過性材料を含んで構成されている。この場合の「反射面（第２の反射面）」とは、上部電極層１６４の反射面１６４Ｍであり、すなわち上部電極層１６４のうちの有機層１６３（発光補助層１６３９）に隣接する面である。
【０１４０】
すなわち、青色有機ＥＬ素子６６Ｂは、例えば、平坦化絶縁層１５に近い側から順に、下部電極層１６１Ｂ、有機層１６３および上部電極層１６４が積層された積層構造を有している。緑色有機ＥＬ素子６６Ｇは、例えば、平坦化絶縁層１５に近い側から順に、下部電極層１６１Ｇ、透明導電層１６２Ｇ、有機層１６３および上部電極層１６４が積層された積層構造を有している。赤色有機ＥＬ素子６６Ｒは、例えば、平坦化絶縁層１５に近い側から順に、下部電極層１６１Ｒ、有機層１６３および上部電極層１６４が積層された積層構造を有している。
【０１４１】
この場合の上部電極層１６４の構成は、上記した光半透過性材料を含んでいることにより反射面１６４Ｍを構成し得る限り、自由に設定可能である。具体的には、例えば、上部電極層１６４の構成は、例えば、光半透過性金属により構成された薄膜の単層構造であってもよいし、あるいは有機層１６３に近い側から順に光半透過性金属の薄膜と透明導電材料の薄膜とが積層された積層構造であってもよい。上記した単層構造を有する場合における光半透過性金属の薄膜としては、例えば、アルミニウム薄膜、銀がドープされたマグネシウムの薄膜、アルミニウムおよび銀の積層薄膜、あるいはカルシウムおよび銀の積層薄膜などが挙げられる。また、積層構造を有する場合における光半透過性金属の薄膜としては、例えば、アルミニウム薄膜、銀がドープされたマグネシウムの薄膜、アルミニウムおよび銀の積層薄膜、あるいはカルシウムおよび銀の積層薄膜などが挙げられ、一方、透明導電材料の薄膜としては、例えば、酸化亜鉛薄膜または酸化錫薄膜などが挙げられる。
【０１４２】
この場合には、下部電極層１６１Ｂ，１６１Ｇ，１６１Ｒの反射面１６１ＢＭ，１６１ＧＭ，１６１ＲＭと上部電極層１６４の反射面１６４Ｍとの間の距離（光学的距離Ｄ）が、上記した関係式１６を満たしている。
【０１４３】
本実施の形態に係る有機ＥＬディスプレイでは、青色有機ＥＬ素子６６Ｂ、緑色有機ＥＬ素子６６Ｇおよび赤色有機ＥＬ素子６６Ｒにおいて、下部電極層１６１Ｂ，１６１Ｇ，１６１Ｒと上部電極層１６４との間に設けられた有機層１６３が、複数の発光層（青色発光層１６３２，緑色発光層１６３４，青色発光層１６３６，赤色発光層１６３８）が積層された積層構造を有しており、特に、反射面１６１ＢＭ，１６１ＧＭ，１６１ＲＭと反射面１６４Ｍとの間の距離（光学的距離Ｄ）が上記した関係式１６を満たしている点を除き、上記第１の実施の形態にいて説明した３つの構成条件を満たしている。したがって、この場合においても、上記第１の実施の形態と同様の作用が得られ、すなわち青色光ＨＰＢ、緑色光ＨＰＧおよび赤色光ＨＰＲの強度および色純度の観点において青色有機ＥＬ素子６６Ｂ、緑色有機ＥＬ素子６６Ｇおよび赤色有機ＥＬ素子６６Ｒの発光性能が向上するため、表示性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、表示性能を可能な限り向上させることができる。
【０１４４】
上記した他、本実施の形態に係る有機ＥＬ素子６６（青色有機ＥＬ素子６６Ｂ，緑色有機ＥＬ素子６６Ｇ，赤色有機ＥＬ素子６６Ｒ）では、下部電極層１６１Ｂ，１６１Ｇ，１６１Ｒと上部電極層１６４との間に、複数の発光層（青色発光層１６３２，緑色発光層１６３４，青色発光層１６３６，赤色発光層１６３８）が積層された積層構造を有する有機層１６３が設けられており、特に、反射面１６１ＢＭ，１６１ＧＭ，１６１ＲＭと反射面１６４Ｍとの間の距離（光学的距離Ｄ）が上記した関係式１６を満たしている点を除き、上記第１の実施の形態において説明した３つの構成条件を満たしているので、その第１の実施の形態と同様の作用により、青色光ＨＰＢ、緑色光ＨＰＧおよび赤色光ＨＰＲの強度が増強されると共に色純度が向上する。したがって、発光性能を向上させることができる。この場合には、特に、上記した関係式１１（関係式１２〜１５）中の次数ｍＬ（ｍＬＢ１，ｍＬＧ，ｍＬＢ２，ｍＬＲ）を各発光層ごとに最適化すると共に（ｍＬＢ１＝０，ｍＬＧ＝１，ｍＬＢ２＝１，ｍＬＲ＝１）、上記した関係式１６中の次数ｍＤを各発光層ごとに最適化することにより（青色発光層１６３２に関してｍＤ＝２，緑色発光層１６３４に関してｍＤ＝２，青色発光層１６３６に関してｍＤ＝２，赤色発光層１６３８に関してｍＤ＝１）、発光性能を可能な限り向上させることができる。
【０１４５】
なお、本実施の形態では、図４３および図４４に示したように、青色有機ＥＬ素子６６Ｂ、緑色有機ＥＬ素子６６Ｇおよび赤色有機ＥＬ素子６６Ｒにおいて、有機層１６３が複数の発光層として４種類の発光層（青色発光層１６３２，緑色発光層１６３４，青色発光層１６３６，赤色発光層１６３８）を含み、それらの青色発光層１６３２、緑色発光層１６３４、青色発光層１６３６および赤色発光層１６３８が下部電極層１６１Ｂ，１６１Ｇ，１７１Ｒに近い側から順に積層されるようにしたが、必ずしもこれに限られるものではない。すなわち、有機層１６３に含まれる複数の発光層の層数および積層順は、青色有機ＥＬ素子６６Ｂ、緑色有機ＥＬ素子６６Ｇおよび赤色有機ＥＬ素子６６Ｒからそれぞれ青色光ＨＰＢ、緑色光ＨＰＧおよび赤色光ＨＰＲが放出される限り、自由に変更可能である。
【０１４６】
具体的な一例を挙げれば、上記第１の実施の形態において図９および図１０を参照して説明した変形例を適用することにより、図４３および図４４にそれぞれ対応する図４５および図４６に示したように、有機層１６３が複数の発光層として５種類の発光層（青色発光層１６３２，緑色発光層１６３４，青色発光層１６３６，赤色発光層１６３８，青色発光層１６４０）と共に、それらの５種類の発光層を発光させるための複数の発光補助層（発光補助層１６３１，１６３３，１６３５，１６３７，１６３９，１６４１）を併せて含むようにしてもよい。この場合においても、有機層１６３が５種類の発光層（青色発光層１６３２，緑色発光層１６３４，青色発光層１６３６，赤色発光層１６３８，青色発光層１６４０）を含んでいると共に、光学的距離ＬＢ１，ＬＧ，ＬＢ２，ＬＲ，ＬＢ３が上記した関係式１１（関係式１２〜１５，１７）を満たしている点を除き、図４３および図４４に示した場合と同様の構成条件を満たしているため、その図４３および図４４に示した場合と同様の効果を得ることができる。なお、図４５および図４６に示した青色有機ＥＬ素子６６Ｂ、緑色有機ＥＬ素子６６Ｇおよび赤色有機ＥＬ素子６６Ｒに関する上記以外の構成は、それぞれ図４３および図４４に示した場合と同様である。
【０１４７】
また、本実施の形態では、図４３および図４４に示したように、青色有機ＥＬ素子６６Ｂ、緑色有機ＥＬ素子６６Ｇおよび赤色有機ＥＬ素子６６Ｒにおいて、下部電極層１６１Ｂ，１６１Ｇ，１６１Ｒと有機層１６３との間の距離が青色有機ＥＬ素子６６Ｂおよび赤色有機ＥＬ素子６６Ｒよりも緑色有機ＥＬ素子６６Ｇにおいて大きくなるようにするために、緑色有機ＥＬ素子６６Ｇにおいて透明導電層１６２Ｇを設ける一方で、青色有機ＥＬ素子６６Ｂおよび赤色有機ＥＬ素子６６Ｒのいずれにおいても上記した透明導電層１６２Ｇに対応する透明導電層を設けないようにしたが、必ずしもこれに限られるものではない。具体的には、例えば、上記第１の実施の形態において図１５を参照して説明した変形例を適用することにより、図４４と共に、図４３に対応する図４７に示したように、緑色有機ＥＬ素子６６Ｇにおいて下部電極層１６１Ｇと有機層１６３との間に透明導電層１６２Ｇ（厚さＴＧ）を設けた場合と同様に（図４４参照）、青色有機ＥＬ素子６６Ｂにおいて下部電極層１６１Ｂと有機層１６３との間に透明導電層１６２Ｂ（厚さＴＢ）を設けると共に、赤色有機ＥＬ素子６６Ｒにおいて下部電極層１６１Ｒと有機層１６３との間に透明導電層１６２Ｒ（厚さＴＲ）を設けるようにしてもよい（図４７参照）。この場合においても、青色有機ＥＬ素子６６Ｂおよび赤色有機ＥＬ素子６６Ｒにおいてそれぞれ透明導電層１６２Ｂ，１６２Ｒが設けられている点を除き、図４３および図４４に示した場合と同様の構成条件を満たしているため、その図４３および図４４に示した場合と同様の効果を得ることができる。なお、図４７に示した青色有機ＥＬ素子６６Ｂおよび赤色有機ＥＬ素子６６Ｒに関する上記以外の構成は、図４３に示した場合と同様である。
【実施例】
【０１４８】
次に、本発明に関する実施例について説明する。
【０１４９】
（実施例１）
以下の手順を経ることにより、上記第１の実施の形態において説明した一連の有機ＥＬ素子を代表して、図３および図４に示した青色有機ＥＬ素子、緑色有機ＥＬ素子および赤色有機ＥＬ素子を試験的に製造した。
【０１５０】
すなわち、ガラス製の基板を準備したのち、まず、青色有機ＥＬ素子、緑色有機ＥＬ素子および赤色有機ＥＬ素子のそれぞれの形成領域ごとに基板上に銀合金を選択的に成膜することにより、陽極として下部電極層を１００ｎｍの厚さとなるようにパターン形成した。続いて、緑色有機ＥＬ素子の形成領域のみにおいて下部電極層上にＩＴＯを選択的に成膜することにより、透明導電層を９０ｎｍの厚さとなるようにパターン形成した。続いて、下部電極層のうちの２ｍｍ×２ｍｍ角の中央領域（発光領域）に対応する領域を部分的に露出させるようにポリイミドをパターン成膜することにより、発光用のセルを構成した。
【０１５１】
続いて、上記した発光領域に対応する箇所にパターン成膜用の開口が設けられた金属マスクを使用しながら、１０-4Ｐａ以下の真空雰囲気中において真空蒸着法を使用して下部電極層または透明導電層上に発光補助層（ｍ−ＭＴＤＡＴＡ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、緑色発光層（Ａｌｑにクマリン６を１体積％混合させて共蒸着）、発光補助層（Ａｌｑ／ＬｉＦ／ＭｇＡｇ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、赤色発光層（ＡｌｑにＢＳＮを３０体積％混合させて共蒸着）および発光補助層（Ａｌｑ／ＬｉＦ／ＭｇＡｇ）をこの順に積層させることにより、４種類の発光層を含む積層構造を有するように有機層を形成した。この有機層を形成する際には、光学的距離ＬＢ１，ＬＧ，ＬＢ２，ＬＲが上記した関係式１２〜１５を満たすようにしたと共に、光学的距離Ｄが上記した関係式１６を満たすようにした。ここでは、有機層の総厚を３０５ｎｍとすることにより、緑色有機ＥＬ素子に関して光学的距離ＬＢ１，ＬＧ，ＬＢ２，ＬＲに対応する物理的距離（膜厚）をそれぞれ３０ｎｍ、９５ｎｍ、１４５ｎｍ、２４０ｎｍとしたと共に、関係式１２〜１５中の次数ｍＬＢ１，ｍＬＧ，ｍＬＢ２，ｍＬＲをそれぞれｍＬＢ１＝０、ｍＬＧ＝１、ｍＬＢ２＝１、ｍＬＲ＝１とした。また、関係式１６中の次数ｍＤを青色発光層に関してｍＤ＝２、緑色発光層に関してｍＤ＝２、青色発光層に関してｍＤ＝２、赤色発光層に関してｍＤ＝１とした。続いて、有機層上に酸化亜鉛を含む透明導電膜を成膜することにより、陰極として上部電極層を３０ｎｍの厚さとなるように形成した。
【０１５２】
最後に、上部電極層上に、相対的に高い屈折率ｎＨ＝２．３０を有する酸化チタンを成膜することにより、高屈折率層として機能する反射面規定層を４０ｎｍの厚さとなるように形成したのち、化学蒸着（ＣＶＤ；chemical vapor deposition ）法を使用して反射面規定層（高屈折率層）上に、相対的に低い屈折率ｎＬ＝１．７５を有する窒化ケイ素を成膜することにより、低屈折率層として機能する反射面規定層を３０００ｎｍの厚さとなるように形成した。これらの２つの反射面規定層を形成する際には、光学的距離Ｄが上記した関係式１６を満たすようにした。ここでは、関係式１６中の次数ｍＤをそれぞれ２つの青色発光層に関してｍＤ＝２、緑色発光層に関してｍＤ＝２、赤色発光層に関してｍＤ＝１とした。これにより、図３および図４に示した青色有機ＥＬ素子、緑色有機ＥＬ素子および赤色有機ＥＬ素子が完成した。
【０１５３】
（実施例２）
以下の手順を経ることにより、上記第２の実施の形態において説明した一連の有機ＥＬ素子を代表して、図２２および図２３に示した青色有機ＥＬ素子、緑色有機ＥＬ素子および赤色有機ＥＬ素子を試験的に製造した。
【０１５４】
すなわち、まず、有機層のうちの上部電極層に隣接することとなる発光補助層（最上層の発光補助層）が相対的に低い屈折率ｎＬ＝１．８０を有するようにし、すなわち最上層の発光補助層が低屈折率層として機能するようにした点を除き、上記した実施例１と同様の手順を経ることにより、ガラス製の基板上に下部電極層、透明導電層および有機層を順次形成した。最後に、有機層上に、相対的に高い屈折率ｎＨ＝２．００を有する酸化亜鉛を含む透明導電膜を成膜することにより、陰極として高屈折率層として機能する上部電極層を８０ｎｍの厚さとなるように形成した。なお、光学的距離ＬＢ１，ＬＧ，ＬＢ２，ＬＲ，Ｄおよび次数ｍＬＢ１，ｍＬＧ，ｍＬＢ２，ｍＬＲ，ｍＤに関しては、上記した実施例１と同条件となるように設定した。これにより、図２２および図２３に示した青色有機ＥＬ素子、緑色有機ＥＬ素子および赤色有機ＥＬ素子が完成した。
【０１５５】
（実施例３）
以下の手順を経ることにより、上記第２の実施の形態において説明した一連の有機ＥＬ素子を代表して、さらに図２８および図２９に示した青色有機ＥＬ素子、緑色有機ＥＬ素子および赤色有機ＥＬ素子を試験的に製造した。
【０１５６】
すなわち、まず、上記した実施例１と同様の手順を経ることにより、ガラス製の基板上に下部電極層および透明導電層を順次形成した。続いて、上記した実施例１において説明した成膜手法を使用して下部電極層または透明導電層上に発光補助層（ｍ−ＭＴＤＡＴＡ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、緑色発光層（Ａｌｑにクマリン６を１体積％混合させて共蒸着）、発光補助層（Ａｌｑ／ＬｉＦ／ＭｇＡｇ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、赤色発光層（ＡｌｑにＢＳＮを３０体積％混合させて共蒸着）、発光補助層（Ａｌｑ／ＬｉＦ／ＭｇＡｇ／α−ＮＰＤ）、青色発光層（ＤＰＶＢｉにＢＣｚＶＢｉを５体積％混合させて共蒸着）および発光補助層（Ａｌｑ／ＬｉＦ／ＭｇＡｇ）をこの順に積層させることにより、５種類の発光層を含む積層構造を有するように有機層を形成した。この有機層を形成する際には、光学的距離ＬＢ１，ＬＧ，ＬＢ２，ＬＲ，ＬＢ３が上記した関係式１２〜１５，１７を満たすようにしたと共にしたと共に、光学的距離Ｄが上記した関係式１６を満たすようにした。ここでは、有機層の総厚を３０５ｎｍとすることにより、緑色有機ＥＬ素子に関して光学的距離ＬＢ１，ＬＧ，ＬＢ２，ＬＲに対応する物理的距離（膜厚）をそれぞれ３０ｎｍ、９５ｎｍ、１４５ｎｍ、２３５ｎｍ、２６５ｎｍとしたと共に、関係式１２〜１５中の次数ｍＬＢ１，ｍＬＧ，ｍＬＢ２，ｍＬＲ，ｍＬＢ３をそれぞれｍＬＢ１＝０、ｍＬＧ＝１、ｍＬＢ２＝１、ｍＬＲ＝１、ｍＬＢ３＝２とした。また、関係式１６中の次数ｍＤを青色発光層に関してｍＤ＝２、緑色発光層に関してｍＤ＝２、青色発光層に関してｍＤ＝２、赤色発光層に関してｍＤ＝１、青色発光層に関してｍＤ＝２とした。最後に、上記した実施例１と同様の手順を経ることにより、有機層上に上部電極層および主反射制御層を順次形成した。ここでは、関係式１６中の次数ｍＤをそれぞれ３つの青色発光層に関してｍＤ＝２、緑色発光層に関してｍＤ＝２、赤色発光層に関してｍＤ＝１とした。これにより、図２８および図２９に示した青色有機ＥＬ素子、緑色有機ＥＬ素子および赤色有機ＥＬ素子が完成した。
【０１５７】
（実施例４）
以下の手順を経ることにより、上記第３の実施の形態において説明した一連の有機ＥＬ素子を代表して、図３３および図３４に示した青色有機ＥＬ素子、緑色有機ＥＬ素子および赤色有機ＥＬ素子を試験的に製造した。
【０１５８】
すなわち、まず、有機層のうちの上部電極層に隣接することとなる発光補助層（最上層の発光補助層）が相対的に低い屈折率ｎＬ＝１．８０を有することにより低屈折率層として機能すると共に、上部電極層が相対的に高い屈折率ｎＨ＝２．００を有することにより高屈折率層として機能するようにした点を除き、上記した実施例１と同様の手順を経ることにより、ガラス製の基板上に下部電極層、透明導電層、有機層および上部電極層を順次形成した。最後に、上部電極層上に、相対的に低い屈折率ｎＬ＝１．４０を有するフッ化リチウムを成膜することにより、低屈折率層として機能する反射面規定層を８０ｎｍの厚さとなるように形成した。なお、光学的距離Ｄ（Ｄ１，Ｄ２）および次数ｍＬＢ１，ｍＬＧ，ｍＬＢ２，ｍＬＲ，ｍＤに関しては、上記した実施例１と同条件となるように設定した。これにより、図３３および図３４に示した青色有機ＥＬ素子、緑色有機ＥＬ素子および赤色有機ＥＬ素子が完成した。
【０１５９】
（実施例５）
以下の手順を経ることにより、上記第４の実施の形態において説明した一連の有機ＥＬ素子を代表して、図４３および図４４に示した青色有機ＥＬ素子、緑色有機ＥＬ素子および赤色有機ＥＬ素子を試験的に製造した。
【０１６０】
すなわち、上部電極層の形成材料を変更した点を除き、上記した実施例１と同様の手順を経ることにより、ガラス製の基板上に下部電極層、透明導電層、有機層および上部電極層を順次形成した。上部電極層を形成する際には、有機層上にマグネシウムおよび銀を共蒸着して光半透過性金属層（蒸着比；Ｍｇ：Ａｇ＝１０：１）を６ｎｍの厚さとなるように形成したのち、その光半透過性金属層上に酸化亜鉛を成膜して透明導電層を８０ｎｍの厚さとなるように形成することにより、積層構造を有するようにした。なお、光学的距離ＬＢ１，ＬＧ，ＬＢ２，ＬＲ，Ｄおよび次数ｍＬＢ１，ｍＬＧ，ｍＬＢ２，ｍＬＲ，ｍＤに関しては、上記した実施例１と同条件となるように設定した。これにより、図４３および図４４に示した青色有機ＥＬ素子、緑色有機ＥＬ素子および赤色有機ＥＬ素子が完成した。
【０１６１】
（比較例）
以下の手順を経ることにより、本発明（実施例１〜５）の有機ＥＬ素子に対する比較例の有機ＥＬ素子を試験的に製造した。
【０１６２】
すなわち、下部電極層の形成材料を変更したと共に、透明導電層および反射面規定層（低屈折率層，高屈折率層）を形成しなかった点を除き、上記した実施例２と同様の手順を経ることにより、ガラス製の基板上に下部電極層、有機層および上部電極層を順次形成した。下部電極層を形成する際には、基板上に透明導電材料としてＩＴＯを成膜することにより、１８０ｎｍの厚さを有するようにした。この比較例の有機ＥＬ素子では、下部電極層が光透過性を有しており、すなわち有機層において発生した光が下部電極層において反射されないため、本発明の有機ＥＬ素子とは異なり、光の干渉現象が生じない。
【０１６３】
これらの実施例１〜５および比較例の有機ＥＬ素子の発光性能を調べたところ、以下の結果が得られた。
【０１６４】
まず、実施例１〜５および比較例の有機ＥＬ素子の基本的な発光性能を調べたところ、図４８〜図５３に示した結果が得られた。図４８〜図５３はそれぞれ実施例１〜５および比較例の有機ＥＬ素子の発光スペクトルを表しており、「横軸」は波長λ（ｎｍ）を示し、「縦軸」はスペクトルの強度Ｉ（−）を示している。ただし、比較例の有機ＥＬ素子に関しては、基板の上方および下方に放出された光の和に基づく発光スペクトルを示している。図４８〜図５２に示した「４８Ｂ〜５２Ｂ」は青色光の発光スペクトルを示し、「４８Ｇ〜５２Ｇ」は緑色光の発光スペクトルを示し、「４８Ｒ〜５２Ｒ」は赤色光の発光スペクトルを示している。上記した「基本的な発光性能」とは、色調整用のカラーフィルタを使用しない場合における有機ＥＬ素子の発光性能であり、すなわち色調に関する性能上の実力である。
【０１６５】
図４８〜図５３に示した結果から判るように、実施例１〜５の有機ＥＬ素子（図４８〜図５２参照）では、いずれにおいても青色光のスペクトルピーク（４８Ｂ〜５２Ｂ）、緑色光のスペクトルピーク（４８Ｇ〜５２Ｇ）および赤色光のスペクトルピーク（４８Ｒ〜５２Ｒ）が観察され、すなわち青色有機ＥＬ素子、緑色有機ＥＬ素子および赤色有機ＥＬ素子からそれぞれ青色光、緑色光および赤色光が放出された。より具体的には、互いに同一の構造を有している青色有機ＥＬ素子および赤色有機ＥＬ素子では、緑色の光成分量が減少されると共に青色および赤色の光成分量が増加されることにより青色および赤色が強調された光（青色光および赤色光）が放出され、一方、青色有機ＥＬ素子および赤色有機ＥＬ素子とは異なる構造を有している緑色有機ＥＬ素子では、青色および赤色の光成分量が減少されると共に緑色の光成分量が増加されることにより緑色が強調された光（青色光および赤色光）が放出された。しかも、この場合には、図４８〜図５２中において青色光、緑色光および赤色光に対応する３つのスペクトルピークが明瞭に区別して観察され、すなわち３つのスペクトルピークが互いに異なる波長λにおいて十分な強度Ｉを有していることから明らかなように、青色光、緑色光および赤色光の強度および色純度が確保された。これに対して、比較例の有機ＥＬ素子（図５３参照）では、可視光に対応する波長λ＝約４００ｎｍ〜８００ｎｍの波長域においてブロードなスペクトルが観察され、すなわち白色光が放出された。しかも、この場合には、実施例１〜５の有機Ｅ素子と比較して、スペクトルの強度Ｉが著しく小さくなった。このことは、実施例１〜５の有機ＥＬ素子では、光の干渉現象が生じるため、その光の干渉現象を利用して光の強度が増強されるのに対して、比較例の有機ＥＬ素子では、光の干渉現象が生じないため、その光の干渉現象を利用して光の強度が増強されないことを表している。このことから、本発明の有機ＥＬ素子（青色有機ＥＬ素子，緑色有機ＥＬ素子，赤色有機ＥＬ素子）では、発光性能を向上させることが可能であることが確認された。この場合には、特に、有機層が４種類の発光層を含んでいる実施例２（図４９参照）と有機層が５種類の発光層を含んでいる実施例３（図５０参照）との間においてスペクトルピークを比較したところ、実施例２よりも実施例３において強度Ｉが大きくなると共にピーク半値幅が狭まり、すなわち青色光、緑色光および赤色光の強度および色純度が向上した。
【０１６６】
続いて、実施例１〜５および比較例の有機ＥＬ素子の実用的な発光性能を調べたところ、図５４〜図５９に示した結果が得られた。図５４〜図５９はそれぞれ実施例１〜５および比較例の有機ＥＬ素子の他の発光スペクトルを表しており、図４８〜図５３に示した発光スペクトルに対応している。図５４〜図５９に示した「５４Ｂ〜５９Ｂ」は青色光の発光スペクトルを示し、「５４Ｇ〜５９Ｇ」は緑色光の発光スペクトルを示し、「５４Ｒ〜５９Ｒ」は赤色光の発光スペクトルを示している。上記した「実用的な発光性能」とは、色調整用のカラーフィルタを使用した場合における有機ＥＬ素子の発光性能であり、すなわち有機ＥＬディスプレイに搭載された場合における色調に関する性能上の実力である。なお、実施例１〜５および比較例の有機ＥＬ素子の実用的な発光性能を調べる際には、図６０に示した透過特性を有する３色（６０Ｂ＝青，６０Ｇ＝緑，６０Ｒ＝赤）のカラーフィルタを使用することにより、各色の発光スペクトルを調べた。図６０は、カラーフィルタの透過特性を表しており、「横軸」は波長λ（ｎｍ）を示し、「縦軸」は透過率Ｔ（％）を示している。
【０１６７】
図５４〜図５９に示した結果から判るように、実施例１〜５の有機ＥＬ素子（図５４〜図５８参照）では、いずれにおいても青色光のスペクトルピーク（５４Ｂ〜５８Ｂ）、緑色光のスペクトルピーク（５４Ｇ〜５８Ｇ）および赤色光のスペクトルピーク（５４Ｒ〜５８Ｒ）が観察され、すなわち青色有機ＥＬ素子、緑色有機ＥＬ素子および赤色有機ＥＬ素子からそれぞれカラーフィルタを通じて青色光、緑色光および赤色光が放出された。この場合には、特に、カラーフィルタを使用しなかった場合（図４８〜図５２参照）と比較して、青色有機ＥＬ素子および赤色有機ＥＬ素子から放出される緑色の光成分量が著しく減少したため、青色光および赤色光の色純度が向上した。一方、比較例の有機ＥＬ素子（図５９参照）では、青色光のスペクトルピーク（５９Ｂ）、緑色光のスペクトルピーク（５９Ｇ）および赤色光のスペクトルピーク（５９Ｒ）が観察され、すなわち実施例１〜５の有機ＥＬ素子と同様にカラーフィルタを通じて青色光、緑色光および赤色光が放出された。しかしながら、この場合には、実施例１〜５の有機Ｅ素子と比較して、やはりスペクトルの強度Ｉが著しく小さくなった。このことから、本発明の有機ＥＬ素子（青色有機ＥＬ素子，緑色有機ＥＬ素子，赤色有機ＥＬ素子では、有機ＥＬディスプレイに搭載されることにより、その有機ＥＬディスプレイの表示性能を向上させることが可能であることが確認された。
【０１６８】
以上、いくつかの実施の形態および実施例を挙げて本発明の有機発光素子および有機発光装置を説明したが、本発明の有機発光素子および有機発光装置の構成は、上記各実施の形態および実施例において説明した態様に限定されず、青色有機ＥＬ素子、緑色有機ＥＬ素子および赤色有機ＥＬ素子において、下部電極層と上部電極層との間に設けられた有機層が複数の発光層が積層された積層構造を有しており、特に、上記した３つの構成条件を満たしていることにより発光性能または表示性能を向上させることが可能な限り、自由に変更可能である。
【０１６９】
特に、上記した各実施の形態では、青色有機ＥＬ素子、緑色有機ＥＬ素子および赤色有機ＥＬ素子の構造に関して、下部電極層と有機層との間の距離が赤色有機ＥＬ素子および青色有機ＥＬ素子よりも緑色有機発光素子において大きくなるようにしたが、必ずしもこれに限られるものではなく、下部電極層と有機層との間の距離は、赤色有機発光素子、緑色有機発光素子および青色有機発光素子のうちの少なくとも１つにおいて異なっている限り、自由に変更可能である。この場合においても、上記した各実施の形態とほぼ同様の効果を得ることができる。ただし、青色有機ＥＬ素子から放出される青色光および赤色有機ＥＬ素子から放出される赤色光を色調の観点において明瞭に区別するためには、上記各実施の形態において説明したように、下部電極層と有機層との間の距離が赤色有機ＥＬ素子および青色有機ＥＬ素子よりも緑色有機発光素子において大きくなるようにするのが好ましい。
【０１７０】
また、上記した各実施の形態では、有機ＥＬディスプレイの構造に関して、画像表示用の光を上方、すなわち封止パネルを経由して外部へ放出することにより画像を表示するトップエミッション型構造を有するようにしたが、必ずしもこれに限られるものではなく、画像表示用の光を下方、すなわち封止パネルに代えて駆動パネルを経由して外部へ放出することにより画像を表示するボトムエミッション型構造を有するようにしてもよい。このボトムエミッション型構造を有する有機ＥＬディスプレイは、主に、光透過性絶縁材料を使用して光を透過させることが可能となるように駆動基板を構成すると共に、有機ＥＬ素子（下部電極層，透明導電層，有機層，上部電極層，主反射制御層，副反射制御層）の積層順を反転させることにより構成することが可能である。この場合においても、上記各実施の形態と同様の効果を得ることができる。
【産業上の利用可能性】
【０１７１】
本発明に係る有機発光素子および有機発光装置は、いわゆる有機ＥＬディスプレイに適用することが可能である。
【図面の簡単な説明】
【０１７２】
【図１】本発明の第１の実施の形態に係る有機ＥＬディスプレイの全体の断面構成を表す断面図である。
【図２】図４に示した有機ＥＬディスプレイのうちの主要部（有機ＥＬ素子）の断面構成を拡大して模式的に表す断面図である。
【図３】図２に示した有機ＥＬディスプレイのうちの主要部（青色有機ＥＬ素子および赤色有機ＥＬ素子）の断面構成を拡大して詳細に表す断面図である。
【図４】図２に示した有機ＥＬディスプレイのうちの主要部（緑色有機ＥＬ素子）の断面構成を拡大して詳細に表す断面図である。
【図５】図３に示した青色有機ＥＬ素子および赤色有機ＥＬ素子の構成に関する変形例を表す断面図である。
【図６】図４に示した緑色有機ＥＬ素子の構成に関する変形例を表す断面図である。
【図７】図３に示した青色有機ＥＬ素子および赤色有機ＥＬ素子の構成に関する他の変形例を表す断面図である。
【図８】図４に示した緑色有機ＥＬ素子の構成に関する他の変形例を表す断面図である。
【図９】図３に示した青色有機ＥＬ素子および赤色有機ＥＬ素子の構成に関するさらに他の変形例を表す断面図である。
【図１０】図４に示した緑色有機ＥＬ素子の構成に関するさらに他の変形例を表す断面図である。
【図１１】図５に示した青色有機ＥＬ素子および赤色有機ＥＬ素子の構成に関する変形例を表す断面図である。
【図１２】図６に示した緑色有機ＥＬ素子の構成に関する変形例を表す断面図である。
【図１３】図７に示した青色有機ＥＬ素子および赤色有機ＥＬ素子の構成に関する変形例を表す断面図である。
【図１４】図８に示した緑色有機ＥＬ素子の構成に関する変形例を表す断面図である。
【図１５】図３に示した青色有機ＥＬ素子および赤色有機ＥＬ素子の構成に関するさらに他の変形例を表す断面図である。
【図１６】図５に示した青色有機ＥＬ素子および赤色有機ＥＬ素子の構成に関する他の変形例を表す断面図である。
【図１７】図７に示した青色有機ＥＬ素子および赤色有機ＥＬ素子の構成に関する他の変形例を表す断面図である。
【図１８】本発明の第２の実施の形態に係る有機ＥＬディスプレイに搭載される青色有機ＥＬ素子および赤色有機ＥＬ素子の断面構成を断面図である。
【図１９】本発明の第２の実施の形態に係る有機ＥＬディスプレイに搭載される緑色有機ＥＬ素子の断面構成を断面図である。
【図２０】図１８に示した青色有機ＥＬ素子および赤色有機ＥＬ素子の構成に関する変形例を表す断面図である。
【図２１】図１９に示した緑色有機ＥＬ素子の構成に関する変形例を表す断面図である。
【図２２】図１８に示した青色有機ＥＬ素子および赤色有機ＥＬ素子の構成に関する他の変形例を表す断面図である。
【図２３】図１９に示した緑色有機ＥＬ素子の構成に関する他の変形例を表す断面図である。
【図２４】図１８に示した青色有機ＥＬ素子および赤色有機ＥＬ素子の構成に関するさらに他の変形例を表す断面図である。
【図２５】図１９に示した緑色有機ＥＬ素子の構成に関するさらに他の変形例を表す断面図である。
【図２６】図２０に示した青色有機ＥＬ素子および赤色有機ＥＬ素子の構成に関する変形例を表す断面図である。
【図２７】図２１に示した緑色有機ＥＬ素子の構成に関する変形例を表す断面図である。
【図２８】図２２に示した青色有機ＥＬ素子および赤色有機ＥＬ素子の構成に関する変形例を表す断面図である。
【図２９】図２３に示した緑色有機ＥＬ素子の構成に関する変形例を表す断面図である。
【図３０】図１８に示した青色有機ＥＬ素子および赤色有機ＥＬ素子の構成に関するさらに他の変形例を表す断面図である。
【図３１】図２０に示した青色有機ＥＬ素子および赤色有機ＥＬ素子の構成に関する他の変形例を表す断面図である。
【図３２】図２２に示した青色有機ＥＬ素子および赤色有機ＥＬ素子の構成に関する他の変形例を表す断面図である。
【図３３】本発明の第３の実施の形態に係る有機ＥＬディスプレイに搭載される青色有機ＥＬ素子および赤色有機ＥＬ素子の断面構成を断面図である。
【図３４】本発明の第３の実施の形態に係る有機ＥＬディスプレイに搭載される緑色有機ＥＬ素子の断面構成を断面図である。
【図３５】図３３に示した青色有機ＥＬ素子および赤色有機ＥＬ素子の構成に関する変形例を表す断面図である。
【図３６】図３４に示した緑色有機ＥＬ素子の構成に関する変形例を表す断面図である。
【図３７】図３３に示した青色有機ＥＬ素子および赤色有機ＥＬ素子の構成に関する他の変形例を表す断面図である。
【図３８】図３４に示した緑色有機ＥＬ素子の構成に関する他の変形例を表す断面図である。
【図３９】図３５に示した青色有機ＥＬ素子および赤色有機ＥＬ素子の構成に関する変形例を表す断面図である。
【図４０】図３６に示した緑色有機ＥＬ素子の構成に関する変形例を表す断面図である。
【図４１】図３３に示した青色有機ＥＬ素子および赤色有機ＥＬ素子の構成に関するさらに他の変形例を表す断面図である。
【図４２】図３５に示した緑色有機ＥＬ素子の構成に関するさらに他の変形例を表す断面図である。
【図４３】本発明の第４の実施の形態に係る有機ＥＬディスプレイに搭載される青色有機ＥＬ素子および赤色有機ＥＬ素子の断面構成を断面図である。
【図４４】本発明の第４の実施の形態に係る有機ＥＬディスプレイに搭載される緑色有機ＥＬ素子の断面構成を断面図である。
【図４５】図４３に示した青色有機ＥＬ素子および赤色有機ＥＬ素子の構成に関する変形例を表す断面図である。
【図４６】図４４に示した緑色有機ＥＬ素子の構成に関する変形例を表す断面図である。
【図４７】図４３に示した青色有機ＥＬ素子および赤色有機ＥＬ素子の構成に関する他の変形例を表す断面図である。
【図４８】実施例１の有機ＥＬ素子の基礎的な発光スペクトルを表す図である。
【図４９】実施例２の有機ＥＬ素子の基礎的な発光スペクトルを表す図である。
【図５０】実施例３の有機ＥＬ素子の基礎的な発光スペクトルを表す図である。
【図５１】実施例４の有機ＥＬ素子の基礎的な発光スペクトルを表す図である。
【図５２】実施例５の有機ＥＬ素子の基礎的な発光スペクトルを表す図である。
【図５３】比較例の有機ＥＬ素子の基礎的な発光スペクトルを表す図である。
【図５４】実施例１の有機ＥＬ素子の実用的な発光スペクトルを表す図である。
【図５５】実施例２の有機ＥＬ素子の実用的な発光スペクトルを表す図である。
【図５６】実施例３の有機ＥＬ素子の実用的な発光スペクトルを表す図である。
【図５７】実施例４の有機ＥＬ素子の実用的な発光スペクトルを表す図である。
【図５８】実施例５の有機ＥＬ素子の実用的な発光スペクトルを表す図である。
【図５９】比較例の有機ＥＬ素子の実用的な発光スペクトルを表す図である。
【図６０】カラーフィルタの透過特性を表す図である。
【符号の説明】
【０１７３】
１０…駆動パネル、１１…駆動用基板、１２…ＴＦＴ、１３…層間絶縁層、１４…駆動配線、１５…平坦化絶縁層、１６…有機ＥＬ素子、１６Ｂ，４６Ｂ，５６Ｂ，６６Ｂ…青色有機ＥＬ素子、１６Ｇ，４６Ｇ，５６Ｇ，６６Ｇ…緑色有機ＥＬ素子、１６Ｒ，４６Ｒ，５６Ｒ，６６Ｒ…赤色有機ＥＬ素子、１７…層内絶縁層、１８…保護層、２０…封止パネル、２１…封止用基板、２２…カラーフィルタ、２２Ｂ…青色フィルタ領域、２２Ｇ…緑色フィルタ領域、２２Ｒ…赤色フィルタ領域、３０…接着層、１００…有機ＥＬディスプレイ、１６１Ｂ，１６１Ｇ，１６１Ｒ…下部電極層、１６１ＢＭ，１６１ＧＭ，１６１ＲＭ，１６４Ｍ…反射面、１６２Ｂ，１６２Ｇ，１６２Ｒ…透明導電層、１６３…有機層、１６４…上部電極層、１６５，１６６…反射面規定層、１６３１，１６３３，１６３５，１６３７，１６３９，１６４１…発光補助層、１６３２，１６３６，１６４０…青色発光層、１６３２Ｍ，１６３４Ｍ，１６３６Ｍ，１６３８Ｍ，１６４０Ｍ…発光面、１６３４…緑色発光層、１６３８…赤色発光層、１６３４Ｍ，１６４５Ｍ，１６４６Ｍ，１６５６Ｍ，１６６５Ｍ…界面、Ｄ，Ｄ１，Ｄ２，ＬＢ１，ＬＢ２，ＬＢ３，ＬＧ，ＬＲ…光学的距離、ＨＢ１，ＨＢ２，ＨＢ３，ＨＰＢ…青色光、ＨＧ，ＨＰＧ…緑色光、ＨＰ…画像表示用の光、ＨＲ，ＨＰＲ…赤色光、ｎＨ，ｎＬ…屈折率、ＮＢ，ＮＧ，ＮＲ…発光点、ＴＢ，ＴＧ，ＴＲ…厚さ。
【図１】
2007012370.tif 000006
【図２】
2007012370.tif 000007
【図３】
2007012370.tif 000008
【図４】
2007012370.tif 000009
【図５】
2007012370.tif 000010
【図６】
2007012370.tif 000011
【図７】
2007012370.tif 000012
【図８】
2007012370.tif 000013
【図９】
2007012370.tif 000014
【図１０】
2007012370.tif 000015
【図１１】
2007012370.tif 000016
【図１２】
2007012370.tif 000017
【図１３】
2007012370.tif 000018
【図１４】
2007012370.tif 000019
【図１５】
2007012370.tif 000020
【図１６】
2007012370.tif 000021
【図１７】
2007012370.tif 000022
【図１８】
2007012370.tif 000023
【図１９】
2007012370.tif 000024
【図２０】
2007012370.tif 000025
【図２１】
2007012370.tif 000026
【図２２】
2007012370.tif 000027
【図２３】
2007012370.tif 000028
【図２４】
2007012370.tif 000029
【図２５】
2007012370.tif 000030
【図２６】
2007012370.tif 000031
【図２７】
2007012370.tif 000032
【図２８】
2007012370.tif 000033
【図２９】
2007012370.tif 000034
【図３０】
2007012370.tif 000035
【図３１】
2007012370.tif 000036
【図３２】
2007012370.tif 000037
【図３３】
2007012370.tif 000038
【図３４】
2007012370.tif 000039
【図３５】
2007012370.tif 000040
【図３６】
2007012370.tif 000041
【図３７】
2007012370.tif 000042
【図３８】
2007012370.tif 000043
【図３９】
2007012370.tif 000044
【図４０】
2007012370.tif 000045
【図４１】
2007012370.tif 000046
【図４２】
2007012370.tif 000047
【図４３】
2007012370.tif 000048
【図４４】
2007012370.tif 000049
【図４５】
2007012370.tif 000050
【図４６】
2007012370.tif 000051
【図４７】
2007012370.tif 000052
【図４８】
2007012370.tif 000053
【図４９】
2007012370.tif 000054
【図５０】
2007012370.tif 000055
【図５１】
2007012370.tif 000056
【図５２】
2007012370.tif 000057
【図５３】
2007012370.tif 000058
【図５４】
2007012370.tif 000059
【図５５】
2007012370.tif 000060
【図５６】
2007012370.tif 000061
【図５７】
2007012370.tif 000062
【図５８】
2007012370.tif 000063
【図５９】
2007012370.tif 000064
【図６０】
2007012370.tif 000065